(57)【特許請求の範囲】
【請求項１】
送信データをＤＣフリーかつクロック再生可能に符号化して符号化データを得るエンコード部と、
上記エンコード部で得られた符号化データを、伝送路のＡＣ結合された一対のラインを介して、外部機器に、差動信号により送信するデータ送信部を備え、
上記伝送路は、ＴＭＤＳチャネルであり、
上記データ送信部は、ＴＭＤＳクロックを送信することなく、上記ＴＭＤＳチャネルを介して、上記エンコード部で得られた符号化データを、上記外部機器に、差動信号により送信する
送信装置。
【請求項２】
上記一対のラインを介して、上記外部機器との間で、同相のコマンド信号を通信するコマンド信号通信部をさらに備える
請求項１に記載の送信装置。
【請求項３】
上記符号化データの送信を開始する前に、伝送要求を、上記一対のラインを介して、上記外部機器に差動信号により送信する伝送要求送信部をさらに備える
請求項１に記載の送信装置。
【請求項４】
上記伝送要求には、少なくともクロック周波数の情報が含まれる
請求項３に記載の送信装置。
【請求項５】
上記データ送信部は、上記符号化データの送信を開始する前に、上記一対のラインを介して上記外部機器にランダムデータを送信し、上記コマンド信号通信部が上記外部機器からクロック情報の抽出が可能となったことを示すコマンド信号を受信した後に、上記符号化データを上記一対のラインを介して、差動信号により上記外部機器に送信する
請求項２に記載の送信装置。
【請求項６】
上記送信データはビデオデータであり、
上記エンコード部は、上記送信データを構成する色データ、あるいは輝度データおよび色差データのそれぞれ４ビットデータをＤＣフリーかつクロック再生可能な５ビットデータに符号化し、
上記データ送信部は、上記エンコード部で符号化された上記ＤＣフリーかつクロック再生可能な５ビットデータからなる１５ビットデータ単位で送信する
請求項１に記載の送信装置。
【請求項７】
上記外部機器から、ＤＣフリーかつクロック再生可能に符号化された符号化データを、上記伝送路のＡＣ結合された一対のラインを介して、差動信号により受信するデータ受信部と、
上記データ受信部で受信された符号化データを復号化して受信データを得るデコード部をさらに備える
請求項１に記載の送信装置。
【請求項８】
送信データをＤＣフリーかつクロック再生可能に符号化して符号化データを得るエンコードステップと、
上記符号化データを、伝送路のＡＣ結合された一対のラインを介して、外部機器に、差動信号により送信するデータ送信ステップを有し、
上記伝送路は、ＴＭＤＳチャネルであり、
上記データ送信ステップでは、ＴＭＤＳクロックを送信することなく、上記ＴＭＤＳチャネルを介して、上記エンコードステップで得られた符号化データを、上記外部機器に、差動信号により送信する
送信方法。
【請求項９】
外部機器から、ＤＣフリーかつクロック再生可能に符号化された符号化データを、伝送路のＡＣ結合された一対のラインを介して、差動信号により受信するデータ受信部と、
上記データ受信部で受信された符号化データを復号化して受信データを得るデコード部を備え、
上記伝送路は、ＴＭＤＳチャネルであり、
上記データ受信部は、ＴＭＤＳクロックを受信することなく、上記ＴＭＤＳチャネルを介して、上記外部機器から、上記符号化データを、差動信号により受信する
受信装置。
【請求項１０】
外部機器から、ＤＣフリーかつクロック再生可能に符号化された符号化データを、伝送路のＡＣ結合された一対のラインを介して、差動信号により受信するデータ受信ステップと、
上記データ受信ステップで受信された符号化データを復号化して受信データを得るデコードステップを有し、
上記伝送路は、ＴＭＤＳチャネルであり、
上記データ受信ステップでは、ＴＭＤＳクロックを受信することなく、上記ＴＭＤＳチャネルを介して、上記外部機器から、上記符号化データを、差動信号により受信する
受信方法。
【発明の詳細な説明】
【技術分野】
【０００１】
本技術は、送信装置、送信方法および受信装置に関し、特に、データを差動信号により伝送路を介して送信する送信装置等に関する。
【背景技術】
【０００２】
近年、ＣＥ（Consumer Electronics）機器をつなぐ、デジタルインタフェースとして、ＨＤＭＩ（High Definition Multimedia Interface）が幅広く用いられており、業界でのデファクトスタンダードとなっている。例えば、非特許文献１には、ＨＤＭＩ規格についての記載がある。このＨＤＭＩ規格においては、３データ差動ラインペア（TMDS Channel 0〜2）を用いて、デジタル信号としてビデオ、オーディオ、コントロールの各信号の伝送を行っている。
【先行技術文献】
【非特許文献】
【０００３】
【非特許文献１】High-Definition Multimedia Interface Specification Version1.3a,November 10 2006
【発明の概要】
【発明が解決しようとする課題】
【０００４】
現在、このデジタル信号の伝送速度としてＨＤＭＩ規格上で決められている値は、およそ１０．２Ｇｂｐｓとなっている。高精細３Ｄ（３ dimension）のビデオデータや、４ｋ２ｋ（ＱＦＨＤ）などの高画質コンテンツのビデオデータの伝送に対応するためには、この帯域では不十分である。
【０００５】
ところが、帯域を倍増するために伝送スピードを２倍に拡張したとすると、各チャンネルのデータレートは６．８Ｇｂｐｓ程度となる。これだけの高周波差動信号の伝送を扱うのは、設計者に対して、大きな負担になるだけでなく、ケーブルでの高周波成分の減衰を考慮するとケーブル長が極端に短くなってしまう可能性も懸念され、ユーザの使い勝手が悪くなってしまう。
【０００６】
また、また現行のＨＤＭＩ規格では１方向に１データの伝送しか定義されていない。近年、ホームネットワーク対応で部屋を跨いだＡＶ（Audio and Visual）コンテンツの楽しみ方が提案されてきている。しかし、このようなアプリケーションを、現行のＨＤＭＩ接続では実現することはできない。
【０００７】
本技術の目的は、データの伝送帯域の増大を図ることにある。また、本技術の目的は、部屋間伝送などの新たなアプリケーションに対処可能とすることにある。
【課題を解決するための手段】
【０００８】
本技術の概念は、
送信データをＤＣフリーかつクロック再生可能に符号化して符号化データを得るエンコード部と、
上記エンコード部で得られた符号化データを、伝送路のＡＣ結合された一対のラインを介して、外部機器に、差動信号により送信するデータ送信部とを備える
送信装置にある。
【０００９】
本技術において、エンコード部により、送信データがＤＣフリーかつクロック再生可能に符号化されて符号化データが得られる。そして、データ送信部により、符号化データが、伝送路のＡＣ結合された一対のラインを介して、外部機器に、差動信号により送信される。例えば、送信データはビデオデータであり、エンコード部では、送信データを構成する赤色データ、緑色データおよび青色データのそれぞれ４ビットデータがＤＣフリーかつクロック再生可能な５ビットデータに符号化される。そして、データ送信部では、赤色データ、緑色データおよび青色データのそれぞれのＤＣフリーかつクロック再生可能な５ビットデータからなる１５ビットデータ単位で送信が行われる。
【００１０】
このように本技術においては、伝送路のＡＣ結合された一対のラインを介して、ＤＣフリーかつクロック再生可能に符号化された符号化データを、外部機器に送信するものである。そのため、信号品質の改善と消費電力の低減を図りながら、データの伝送帯域の増大を図ることができる。
【００１１】
なお、本技術において、例えば、一対のラインを介して、外部機器との間で、同相のコマンド信号を通信するコマンド信号通信部をさらに備える、ようにされてもよい。この場合、コマンド信号通信部は、一対のラインを介して同相のコマンド信号を通信するものであり、この一対のラインを介して外部機器にデータの送信が行われている状態であっても、コマンド信号の通信を良好に行うことができる。
【００１２】
また、本技術において、例えば、符号化データの送信を開始する前に、伝送要求を、一対のラインを介して、外部機器に差動信号により送信する伝送要求送信部をさらに備える、ようにされてもよい。この伝送要求には、例えば、少なくともクロック周波数の情報が含まれる。この場合、外部機器では、伝送要求に基づいて、符号化データの受信のための準備を行うことが可能となる。例えば、クロック周波数の情報に基づいて、クロック再生を行うためのＰＬＬ回路の状態をクロック周波数に対応した状態に予め合わせておくことができ、ロック状態にスムーズに素早く到達させることができる。
【００１３】
また、本技術において、例えば、データ送信部は、符号化データの送信を開始する前に、一対のラインを介して外部機器にランダムデータを送信し、コマンド信号通信部が外部機器からクロック情報の抽出が可能となったことを示すコマンド信号を受信した後に、符号化データを一対のラインを介して、差動信号により外部機器に送信する、ようにされてもよい。この場合、外部機器でクロック情報の抽出が可能となってから符号化データの送信が開始されるものであり、符号化データを外部機器に良好に送信できる。
【００１４】
また、本技術において、例えば、外部機器から、ＤＣフリーかつクロック再生可能に符号化された符号化データを、伝送路のＡＣ結合された一対のラインを介して、差動信号により受信するデータ受信部と、このデータ受信部で受信された符号化データを復号化して受信データを得るデコード部とをさらに備える、ようにされてもよい。この場合、データを外部機器に送信できるだけでなく、外部機器からデータを受信することも可能となり、部屋間伝送などの新たなアプリケーションに対処可能となる。
【００１５】
また、本技術の他の概念は、
外部機器から、ＤＣフリーかつクロック再生可能に符号化された符号化データを、伝送路のＡＣ結合された一対のラインを介して、差動信号により受信するデータ受信部と、
上記データ受信部で受信された符号化データを復号化して受信データを得るデコード部とを備える
受信装置にある。
【００１６】
本技術において、受信部により、ＤＣフリーかつクロック再生可能に符号化された符号化データが、伝送路のＡＣ結合された一対のラインを介して、差動信号により受信される。そして、デコード部により、符号化データが復号化されて受信データが得られる。
【００１７】
このように本技術においては、伝送路のＡＣ結合された一対のラインを介して、ＤＣフリーかつクロック再生可能に符号化された符号化データを、外部機器から受信するものである。そのため、信号品質の改善と消費電力の低減を図りながら、データの伝送帯域の増大を図ることができる。
【００１８】
また、本技術の他の概念は、
第１のデータを、伝送路を構成するＤＣ結合された差動信号ラインを介して、外部機器に送信する第１のデータ送信部と、
上記第１のデータに関連した、あるいは上記第１のデータとは独立した第２のデータを、上記伝送路を構成するＡＣ結合された差動信号ラインを介して、上記外部機器に送信する第２のデータ送信部と、
上記第１のデータ送信部および上記第２のデータ送信部の動作を制御する制御部とを備える
送信装置にある。
【００１９】
本技術においては、第１のデータ送信部および第２のデータ送信部が備えられている。第１のデータ送信部では、伝送路を構成するＤＣ結合された差動信号ラインを介して、第１のデータが外部機器に送信される。また、第２のデータ送信部では、伝送路を構成するＡＣ結合された差動信号ラインを介して、第１のデータに関連した、あるいは第１のデータとは独立した第２のデータが外部機器に送信される。
【００２０】
このように本技術においては、第１の送信部の他に、第２のデータ送信部が備えられる。そして、この第２のデータ送信部では、伝送路のＡＣ結合された一対のラインを介して、ＤＣフリーかつクロック再生可能に符号化された符号化データが外部機器に送信されるものである。そのため、信号品質の改善と消費電力の低減を図りながら、データの伝送帯域の増大を図ることができる。
【００２１】
なお、本技術において、例えば、制御部は、第２のデータ送信部が使用状態にないとき、ＡＣ結合された差動信号ラインを接地する、ようにされてもよい。この場合、外部機器や伝送路が第１のデータ送信部のみに対応したものであるとき、互換性を確保することが可能となる。
【００２２】
また、本技術において、例えば、制御部は、外部機器が第２のデータ送信部に対応しているか否か、および伝送路が第２のデータ送信部に対応しているか否かに基づいて、第２のデータ送信部の動作を制御する、ようにされてもよい。この場合、外部機器や伝送路が第２のデータ送信部に対応している場合のみ、この第２のデータ送信部を用いたデータの送信が行われるため、外部機器に誤ったデータの送信が行われることを回避できる。
【００２３】
例えば、制御部では、外部機器が第２のデータ送信部に対応しているか否かを、外部機器から伝送路を介して読み出したこの外部機器の能力情報に基づいて判断する、ようにされてもよい。また、例えば、制御部では、伝送路が第２のデータ送信部に対応しているか否かを、この伝送路が持つ情報提供機能を用いて判断する、ようにされてもよい。例えば、伝送路はケーブルであり、制御部は、このケーブルのプラグを接続するためのレセプタクルの所定のピンに所定の電圧を印加して、この伝送路が第２のデータ送信部に対応しているか否かを判断する、ようにされてもよい。
【００２４】
また、本技術において、例えば、データはビデオデータであり、送信ビデオデータをフレーム分割して得られた複数の分割ビデオデータを得るフレーム分割処理部をさらに備え、第１のデータ送信部は、複数の分割ビデオデータのうち一部の分割ビデオデータを外部機器に送信し、第２のデータ送信部は、複数の分割ビデオデータのうち残りの一部の分割ビデオデータを外部機器に送信する、ようにされてもよい。この場合、送信ビデオデータをフレーム分割して得られた複数の分割ビデオデータが、第１のデータ送信部および第２のデータ送信部の共働で外部機器に送信される。そのため、４Ｋ２Ｋ（ＱＦＨＤ）などの高画質コンテンツのビデオデータを、外部機器に容易に送信できる。
【００２５】
また、本技術において、例えば、データはビデオデータであり、送信ビデオデータの各画素データを上位ビット側と下位ビット側に２分する画素データ分割処理部をさらに備え、第１のデータ送信部は、各画素データの上位ビット側のデータを外部機器に送信し、第２のデータ送信部は、各画素データの下位ビット側のデータを外部機器に送信する、ようにされてもよい。この場合、送信ビデオデータの各画素データが上位ビット側と下位ビット側に２分されて得られた上位ビット側のデータおよび下位ビット側データが、第１のデータ送信部および第２のデータ送信部の共働で外部機器に送信される。そのため、ディープカラー(Deep color)ビデオデータなどの高画質コンテンツのビデオデータを、外部機器に容易に送信できる。
【００２６】
また、本技術において、例えば、データはビデオデータであり、第１のデータ送信部は、左目ビデオデータおよび右眼ビデオデータの一方を外部機器に送信し、第２のデータ送信部は、左目ビデオデータおよび右眼ビデオデータの他方を外部機器に送信する、ようにされてもよい。この場合、左目画像データと右眼画像データが、第１のデータ送信部および第２のデータ送信部の共働で外部機器に送信される。そのため、高精細３Ｄビデオデータ等の高画質コンテンツのビデオデータを、外部機器に容易に送信できる。
【００２７】
ここで、例えば、第１のデータ送信部および第２のデータ送信部は、分割ビデオデータを、フレーム毎に、連結すべき他の分割ビデオデータの存在を示す第１の情報およびこの連結すべき他の分割ビデオデータとの同期をとるための第２の情報を付加して送信する、ようにされてもよい。例えば、第２の情報は、タイムコード情報と、このタイムコード情報が示すタイムコードを持つ複数フレームにおける配列順を示す配列情報とからなる、ものとされる。この場合、外部機器において、複数に分割ビデオデータをフレーム配列して受信ビデオデータを得ることが容易となる。
【００２８】
また、本技術において、例えば、外部機器から、データを、ＡＣ結合された差動信号ラインを介して、受信するデータ受信部をさらに備え、制御部は、第１のデータ送信部および第２のデータ送信部の動作の他に、データ受信部の動作を制御する、ようにされてもよい。この場合、データを外部機器に送信できるだけでなく、外部機器からデータを受信することも可能となり、部屋間伝送などの新たなアプリケーションに対処可能となる。
【００２９】
また、本技術の他の概念は、
外部機器から、伝送路を構成するＤＣ結合された差動信号ラインを介して、第１のデータを受信する第１のデータ受信部と、
上記外部機器から、上記伝送路を構成するＡＣ結合された差動信号ラインを介して、上記第１のデータに関連した、あるいは上記第１のデータとは独立した第２のデータを受信する第２のデータ受信部と、
上記第１のデータ受信部および上記第２のデータ受信部の動作を制御する制御部とを備える
受信装置にある。
【００３０】
本技術においては、第１のデータ受信部および第２のデータ受信部が備えられている。第１のデータ受信部では、伝送路を構成するＤＣ結合された差動信号ラインを介して、第１のデータが、外部機器から受信される。また、第２のデータ受信部では、伝送路を構成するＡＣ結合された差動信号ラインを介して、第１のデータに関連した、あるいは第１のデータとは独立した第２のデータが、外部機器から受信される。
【００３１】
このように本技術においては、第１のデータ受信部の他に、第２のデータ受信部が備えられる。そして、この第２のデータ受信部では、外部機器から、伝送路のＡＣ結合された一対のラインを介して、ＤＣフリーかつクロック再生可能に符号化された符号化データが受信されるものである。そのため、信号品質の改善と消費電力の低減を図りながら、データの伝送帯域の増大を図ることができる。
【発明の効果】
【００３２】
本技術によれば、データの伝送帯域の増大を図ることができる。
【図面の簡単な説明】
【００３３】
【図１】実施の形態としてのＡＶシステムの構成例を示すブロック図である。
【図２】ソース機器、ケーブルおよびシンク機器の組み合わせ例を示す図である。
【図３】従来ＨＤＭＩ伝送システムを構成するソース機器のデータ送信部とシンク機器のデータ受信部の構成例を示す図である。
【図４】従来ＨＤＭＩ伝送システムにおける差動データペアの模式図である。
【図５】従来ＨＤＭＩ伝送システムおよび新ＨＤＭＩ伝送システムにおけるビデオデータのコーディング（ＴＭＤＳコーディング）を示す図である。
【図６】新ＨＤＭＩ伝送システムを構成するソース機器のデータ送受信部とシンク機器のデータ送受信部の構成例を示す図である。
【図７】同相で伝送されるコマンド（Command）の一例を示す図である。
【図８】新ＨＤＭＩ伝送システムにおける差動信号ライン（データラインペア）の模式図である。
【図９】ＴＭＤＳ伝送データの構造例を示す図である。
【図１０】従来ＨＤＭＩ（Type Ａ）および新ＨＤＭＩのピン配列を比較して示す図である。
【図１１】従来ＨＤＭＩ機器および新ＨＤＭＩ機器におけるレセプタクルのピン配置を示す図である。
【図１２】従来ＨＤＭＩケーブルの構造例を示す図である。
【図１３】新ＨＤＭＩケーブルの構造例を示す図である。
【図１４】新ＨＤＭＩケーブルの他の構造例を示す図である。
【図１５】制御部における新ＨＤＭＩ機能によるビデオデータ伝送の可否判別の手順の一例を示すフローチャートである。
【図１６】ソース機器の制御部の制御により表示部（ディスプレイ）に表示されるＵＩ画面の一例を示す図である。
【図１７】新ＨＤＭＩ伝送システムの伝送開始時および終了時における手順の一例を示すシーケンス図である。
【図１８】ＡＶシステムにおけるビデオデータ伝送例（伝送例１：４Ｋ２Ｋ、６０Ｈｚ、プログレッシブビデオデータ伝送）を説明するための図である。
【図１９】伝送例１を行う場合におけるソース機器およびシンク機器の構成例を示すブロック図である。
【図２０】ＨＤＭＩ・ベンダー・スペシフィック・インフォフレームのパケット（ＶＳＩＦパケット）の構造例を示す図である。
【図２１】ＡＶシステムにおけるビデオデータ伝送例（伝送例２：フルＨＤ、６０Ｈｚ、１６ビットディープカラービデオデータ伝送）を説明するための図である。
【図２２】ＡＶシステムにおけるビデオデータ伝送例（伝送例３：フルＨＤ、６０Ｈｚ、フレームパッキング方式３Ｄビデオデータ伝送）を説明するための図である。
【図２３】ＡＶシステムにおけるビデオデータ伝送例（伝送例４：従来ＨＤＭＩ伝送システムと新ＨＤＭＩ伝送システムとで逆方向同時伝送）を説明するための図である。
【図２４】ＡＶシステムにおけるビデオデータ伝送例（伝送例５：新ＨＤＭＩ伝送システムのみによるビデオデータ伝送）を説明するための図である。
【図２５】ＥＤＩＤ上に新たに定義されるフラグ情報の例を示す図である。
【図２６】ケーブルが新ＨＤＭＩケーブルであるか否かの判断方法を説明するための図であって、新ＨＤＭＩケーブルのプラグにＬＳＩが内蔵されていることを示す図である。
【図２７】ケーブルが新ＨＤＭＩケーブルであるか否かの判断方法を説明するための図であって、新ＨＤＭＩケーブル内ＬＳＩのＥＤＩＤデータ書換え回路の一例を示す図である。
【図２８】ケーブルが新ＨＤＭＩケーブルであるか否かの判断方法を説明するための図であって、新ＨＤＭＩケーブルのプラグにＲＦタグチップ（ＬＳＩ）が内蔵されていることを示す図である。
【図２９】ケーブルが新ＨＤＭＩケーブルであるか否かの判断方法を説明するための図であって、ケーブルの電気的特性の測定を行うことで、ケーブルが新ＨＤＭＩケーブルであるか否かを判断することを説明するための図である。
【図３０】ケーブルの電気的特性の測定を行うことで、ケーブルが新ＨＤＭＩケーブルであるか否かを判断することを説明するための図である。
【図３１】カテゴリＢのケーブル（新ＨＤＭＩケーブル）のプラグの構造を概略的に示す断面図である。
【図３２】カテゴリＡのケーブル（従来ＨＤＭＩケーブル）のプラグの構造を概略的に示す断面図である。
【図３３】ケーブルがカテゴリＢのケーブル（新ＨＤＭＩケーブル）である場合における判別時の状態を示す図である。
【図３４】ケーブルがカテゴリＡのケーブル（従来ＨＤＭＩケーブル）である場合における判別時の状態を示す図である。
【図３５】ソース機器の制御部におけるケーブル判別の処理手順の一例を示すフローチャートである。
【図３６】ソース機器のデータ送信部およびシンク機器のデータ受信部が従来ＨＤＭＩ機器である場合に、これらの機器が新ＨＤＭＩケーブル（カテゴリＢのケーブル）で接続された場合を説明するための図である。
【図３７】新ＨＤＭＩ伝送システムで対処可能なアプリケーションの一例を示す図である。
【図３８】新ＨＤＭＩのケーブルプラグ、レセプタクルの形状の他の例を説明するための図である。
【図３９】従来ＨＤＭＩケーブルと新ＨＤＭＩケーブルのプラグの斜視図である。
【発明を実施するための形態】
【００３４】
以下、発明を実施するための形態（以下、「実施の形態」とする）について説明する。なお、説明を以下の順序で行う。
１．実施の形態
２．変形例
【００３５】
＜１．実施の形態＞
［ＡＶシステムの構成例］
図１は、実施の形態としてのＡＶ（Audio and Visual）システム１０の構成例を示している。このＡＶシステム１０は、ソース機器１１０とシンク機器１２０とが接続されて構成されている。ソース機器１１０は、例えば、ゲーム機、ディスクプレーヤ、セットトップボックス、デジタルカメラ、携帯電話などのＡＶソースである。シンク機器１２０は、例えば、テレビ受信機、プロジェクタ等である。
【００３６】
ソース機器１１０およびシンク機器１２０は、ケーブル２００を介して接続されている。ソース機器１１０には、データ送信部１１２およびデータ送受信部１１３が接続された、コネクタを構成するレセプタクル１１１が設けられている。シンク機器１２０には、データ受信部１２２およびデータ送受信部１２３が接続された、コネクタを構成するレセプタクル１２１が設けられている。また、ケーブル２００の一端にはコネクタを構成するプラグ２０１が設けられ、その他端にはコネクタを構成するプラグ２０２が設けられている。ケーブル２００の一端のプラグ２０１はソース機器１１０のレセプタクル１１１に接続され、このケーブル２００の他端のプラグ２０２はシンク機器１２０のレセプタクル１２１に接続されている。
【００３７】
ソース機器１１０は、制御部１１４を有している。この制御部１１４は、ソース機器１１０の全体を制御する。ソース機器１１０のデータ送信部１１２は、従来ＨＤＭＩの送信部に対応している。また、ソース機器１１０のデータ送受信部１１３は、新ＨＤＭＩの送信部および受信部の双方に対応している。ソース機器１１０は、データ送受信部１１３を有することで、新ＨＤＭＩ機器を構成する。制御部１１４は、ケーブルおよびシンク機器がデータ送受信部１１３によるビデオデータの送受信に対応しているか否かに基づいて、データ送受信部１１３の動作を制御する。
【００３８】
シンク機器１２０は、制御部１２４を有している。この制御部１２４は、シンク機器１２０の全体を制御する。シンク機器１２０のデータ受信部１２２は、従来ＨＤＭＩの受信部に対応している。また、シンク機器１２０のデータ送受信部１２３は、新ＨＤＭＩの受信部および送信部の双方に対応している。シンク機器１２０は、データ送受信部１２３を有することで、新ＨＤＭＩ機器を構成する。制御部１２４は、ケーブルおよびソース機器がデータ送受信部１２３によるビデオデータの送受信に対応しているか否かに基づいて、データ送受信部１２３の動作を制御する。
【００３９】
ソース機器１１０のデータ送信部１１２およびデータ送受信部１１３の構成と、シンク機器１２０のデータ受信部１２２およびデータ送受信部１２３の構成の詳細については後述する。なお、ケーブル２００は、新ＨＤＭＩ機器に対応したケーブル（以下、適宜、「新ＨＤＭＩケーブル」という）である。このケーブル２００の構成の詳細についても後述する。
【００４０】
図２（ａ）の「ケース１」の構成は、上述の図１に示すＡＶシステム１０と同様の構成を示している。ソース機器およびシンク機器は、新ＨＤＭＩ機器を構成し、新ＨＤＭＩケーブルにより接続されている。このケースでは、ソース機器１１０のデータ送受信部１１３と、シンク機器１２０のデータ送受信部１２３との間でビデオデータの伝送（以下、適宜、「新ＨＤＭＩ機能によるビデオデータ伝送」という）を行うことができる。
【００４１】
図２（ｂ）の「ケース２」の構成は、ソース機器が新ＨＤＭＩ機器で、シンク機器が従来ＨＤＭＩ機器であり、新ＨＤＭＩケーブルにより接続されている。このケースでは、新ＨＤＭＩ機能によるビデオデータ伝送は行われない。このケースでは、ソース機器側で、新ＨＤＭＩ機能によるビデオデータ伝送のための新データラインペアを接地レベルに落とすことにより、従来ＨＤＭＩ接続が実現され、従来ＨＤＭＩでの接続が確保される。
【００４２】
図２（ｃ）の「ケース３」の構成は、ソース機器が新ＨＤＭＩ機器で、シンク機器が従来ＨＤＭＩ機器であり、従来ＨＤＭＩケーブルにより接続されている。このケースでは、上述の「ケース２」と同様に、ソース機器側で、新ＨＤＭＩ機能によるビデオデータ伝送のための新データラインペアを接地レベルに落とすことにより、従来ＨＤＭＩ接続が実現され、従来ＨＤＭＩでの接続が確保される。
【００４３】
図２（ｄ）の「ケース４」の構成は、ソース機器が従来ＨＤＭＩ機器で、シンク機器が従来ＨＤＭＩ機器であり、新ＨＤＭＩケーブルにより接続されている。このケースでは、ソース機器側およびシンク機器側の双方で、新ＨＤＭＩ機能によるビデオデータ伝送のための新データラインペアは接地レベルに落とされ、従来ＨＤＭＩと同様の構成になり、従来ＨＤＭＩでの接続が確保される。
【００４４】
［ソース機器のデータ送信部、シンク機器のデータ受信部の構成例］
図３は、図１のＡＶシステム１０における、ソース機器１１０のデータ送信部１１２と、シンク機器１２０のデータ受信部１２２の構成例を示している。データ送信部１１２は、ＴＭＤＳ伝送データを、差動信号により、データ受信部１２２に一方向に送信する。
【００４５】
この場合、データ送信部１１２は、有効画像区間（「アクティブビデオ区間」ともいう）において、非圧縮の１画面分のビデオデータに対応する差動信号を送信する。ここで、有効画像区間は、一の垂直同期信号から次の垂直同期信号までの区間から、水平帰線区間及び垂直帰線区間を除いた区間である。また、データ送信部１１２は、水平帰線区間または垂直帰線区間において、ビデオデータに付随するオーディオデータや制御データ、その他の補助データ等に対応する差動信号を送信する。
【００４６】
データ受信部１２２は、ＴＭＤＳ伝送データを、差動信号により、データ送信部１１２から一方向に受信する。この場合、データ受信部１２２は、有効画像区間において、非圧縮の１画面分のビデオデータに対応する差動信号を受信する。また、このデータ受信部１２２は、水平帰線区間または垂直帰線区間において、ビデオデータに付随するオーディオデータや制御データに対応する差動信号を受信する。
【００４７】
データ送信部１１２とデータ受信部１２２とからなる伝送システムの伝送チャネルには、以下のものがある。まず、伝送チャネルとして、差動信号チャネル（ＴＭＤＳチャネル、ＴＭＤＳクロックチャネル）がある。すなわち、図３に示すように、データ送信部１１２からデータ受信部１２２に対して、ビデオデータおよびオーディオデータを、ピクセルクロックに同期して、一方向にシリアル伝送するための伝送チャネルとしての、３つのＴＭＤＳチャネル＃０〜＃２がある。また、ＴＭＤＳクロックを伝送する伝送チャネルとしての、ＴＭＤＳクロックチャネルがある。
【００４８】
データ送信部１１２のＨＤＭＩトランスミッタ８１は、例えば、非圧縮のビデオデータを対応する差動信号に変換し、３つのＴＭＤＳチャネル＃０，＃１，＃２で、ケーブル２００を介して接続されているデータ受信部１２２に、一方向にシリアル伝送する。また、ＨＤＭＩトランスミッタ８１は、非圧縮のビデオデータに付随するオーディオデータ、必要な制御データその他の補助データ等を、対応する差動信号に変換し、３つのＴＭＤＳチャネル＃０，＃１，＃２で、データ受信部１２２に、一方向にシリアル伝送する。
【００４９】
さらに、ＨＤＭＩトランスミッタ８１は、３つのＴＭＤＳチャネル＃０，＃１，＃２で送信するビデオデータに同期したＴＭＤＳクロックを、ＴＭＤＳクロックチャネルで、データ受信部１２２に送信する。ここで、各ＴＭＤＳチャネル＃ｉ（ｉ＝０，１，２）では、ＴＭＤＳクロックの１クロックの間に、１０ビットのビデオデータが送信される。
【００５０】
データ受信部１２２のＨＤＭＩレシーバ８２は、ＴＭＤＳチャネル＃０，＃１，＃２で、データ送信部１１２から一方向に送信されてくる、ビデオデータに対応する差動信号と、オーディオデータや制御データに対応する差動信号を受信する。この場合、データ送信部１１２からＴＭＤＳクロックチャネルで送信されてくるピクセルクロック（ＴＭＤＳクロック）に同期して受信する。
【００５１】
ＨＤＭＩシステムの伝送チャネルには、ＤＤＣ（Display Data Channel）やＣＥＣ（ConsumerElectronics Control）ラインと呼ばれる伝送チャネルもある。ＤＤＣは、ケーブル２００に含まれる図示しない２本の信号線からなる。ＤＤＣは、データ送信部１１２が、データ受信部１２２から、Ｅ−ＥＤＩＤ（Enhanced Extended Display Identification Data）を読み出すために使用される。
【００５２】
すなわち、データ受信部１２２は、ＨＤＭＩレシーバ８２の他に、自身の能力（Configuration/capability）に関する能力情報であるＥ−ＥＤＩＤを記憶している、ＥＤＩＤ  ＲＯＭ（ＥＥＰＲＯＭ）を有している。データ送信部１１２は、例えば、制御部１１４からの要求に応じて、ケーブル２００を介して接続されているデータ受信部１２２から、Ｅ−ＥＤＩＤを、ＤＤＣを介して読み出す。
【００５３】
データ送信部１１２は、読み出したＥ−ＥＤＩＤを制御部１１４に送る。制御部１１４は、このＥ−ＥＤＩＤを、図示しないフラッシュＲＯＭあるいはＤＲＡＭに格納する。制御部１１４は、Ｅ−ＥＤＩＤに基づき、シンク機器１２０の能力を認識できる。例えば、制御部１１４は、シンク機器１２０が、新ＨＤＭＩ機能によるビデオデータ伝送に対応しているか否か等を認識する。
【００５４】
ＣＥＣラインは、ＨＤＭＩケーブルに含まれる図示しない１本の信号線からなり、データ送信部１１２とデータ受信部１２２との間で、制御用のデータの双方向通信を行うために用いられる。このＣＥＣラインは、制御データラインを構成している。
【００５５】
また、ＨＤＭＩケーブルには、ＨＰＤ（Hot Plug Detect）と呼ばれるピンに接続されるライン（ＨＰＤライン）が含まれている。ソース機器は、このＨＰＤラインを利用して、シンク機器の接続を検出することができる。また、ＨＤＭＩケーブルには、ソース機器からシンク機器に電源を供給するために用いられる電源ライン（+5VPower Line）が含まれている。さらに、ＨＤＭＩケーブルには、リザーブライン（Reserve）が含まれている。
【００５６】
図３に示すデータ送信部１１２のＨＤＭＩトランスミッタ８１およびデータ受信部１２２のＨＤＭＩレシーバ８２は、ＴＭＤＳチャネル、ＴＭＤＳクロックチャネルに関し、ケーブル２００を構成する一対のラインにＤＣ結合されている。
【００５７】
図４は、従来ＨＤＭＩ伝送システムにおける差動信号ライン（データラインペア）の模式図を示している。ＨＤＭＩレシーバ８２側で伝送ラインにバイアス電圧を掛け、ＨＤＭＩトランスミッタ８１とはキャパシタを介さず、直接接続される、いわゆるＤＣ結合での伝送が行われる。このＤＣ結合は、シリアル信号の持つＤＣ成分による信号品質の劣化を抑制することができるメリットを持つ。一方、このＤＣ結合は、以下のデメリットを持つ。すなわち、伝送ラインのドライバ／レシーバとして耐圧が高いものを使用せざるを得ず、消費電力の低減やＬＳＩ（LargeScale Integration）プロセスの進化による回路サイズの縮小が困難である。また、バイアスレベルから同相ノイズが乗りやすい。さらに、長距離伝送による信号の減衰が起こりやすい。
【００５８】
図５（ａ）は、ＴＭＤＳチャネル＃０，＃１，＃２で伝送される各色のビデオデータのコーディング（ＴＭＤＳコーディング）を示している。この場合、８ビットのデータがＤＣフリーな１０ビットのデータに変換される。このようにＤＣフリーな符号化ビデオデータとすることで、シリアルデータの劣化を防ぐようにされている。
【００５９】
［ソース機器、シンク機器のデータ送受信部の構成例］
図６は、図１のＡＶシステム１０における、ソース機器１１０のデータ送受信部１１３と、シンク機器１２０のデータ送受信部１２３の構成例を示している。データ送受信部１１３は、送信時には、ＴＭＤＳ伝送データを、差動信号により、データ送受信部１２３に送信する。また、データ送受信部１１３は、受信時には、ＴＭＤＳ伝送データを、差動信号により、データ送受信部１２３から受信する。この場合、データ送受信部１１３は、有効画像区間において、非圧縮の１画面分のビデオデータに対応する差動信号を送受信する。
【００６０】
同様に、データ送受信部１２３は、送信時には、ＴＭＤＳ伝送データを、差動信号により、データ送受信部１１３に送信する。また、データ送受信部１２３は、受信時には、ＴＭＤＳ伝送データを、差動信号により、データ送受信部１１３から受信する。この場合、データ送受信部１２３は、有効画像区間において、非圧縮の１画面分のビデオデータに対応する差動信号を送受信する。
【００６１】
データ送受信部１１３とデータ送受信部１２３とからなる伝送システムの伝送チャネルには、以下のものがある。すなわち、伝送チャネルとして、差動信号チャネル（ＴＭＤＳチャネル）がある。すなわち、図６に示すように、２つの新ＴＭＤＳチャネル＃０，＃１がある。この新ＴＭＤＳチャネル＃０，＃１は、それぞれ、データ送受信部１１３とデータ送受信部１２３との間で、ビデオデータおよびオーディオデータを、ピクセルクロックに同期して、双方向に伝送する。
【００６２】
なお、データ送受信部１１３とデータ送受信部１２３との間の伝送に関しては、ＴＭＤＳクロックの伝送は省略される。受信側においては受信データからクロックを再生するセルフクロック方式が採用される。ここで、新ＴＭＤＳチャネル＃ｉ（ｉ＝０，１）では、ＴＭＤＳクロックの１クロックの間に、１５ビットのビデオデータ（符号化ビデオデータ）が送信される。つまり、ビデオデータのデータ伝送クロックを１５分周することにより、ピクセルクロックを生成することが可能になる。このセルフクロック方式を採用することにより、２つの新ＴＭＤＳチャネルは、ＴＭＤＳチャネル＃ｉ（ｉ＝０，１，２）と完全に独立して存在することになる。そのため、従来ＨＤＭＩラインとのデータスキューの影響を除去できるだけでなく、その２つの新ＴＭＤＳチャネルの間も独立して伝送することが可能になる。
【００６３】
データ送受信部１１３のＨＤＭＩ送信／受信部８３は、非圧縮のビデオデータを対応する差動信号に変換し、新ＴＭＤＳチャネル＃０，＃１のいずれか、あるいは双方で、ケーブル２００を介して接続されているデータ送受信部１２３に、シリアル伝送する。また、その際、ＨＤＭＩ送信／受信部８３は、非圧縮のビデオデータに付随するオーディオデータ、必要な制御データその他の補助データ等を、対応する差動信号に変換し、ビデオデータが送信されるチャネルで、データ受信部１２３に、シリアル伝送する。
【００６４】
また、データ送受信部１１３のＨＤＭＩ送信／受信部８３は、新ＴＭＤＳチャネル＃０，＃１のいずれか、あるいは双方で、データ送受信部１２３から送られてくる、ビデオデータに対応する差動信号と、オーディオデータや制御データに対応する差動信号を受信する。
【００６５】
同様に、データ送受信部１２３のＨＤＭＩ送信／受信部８４は、非圧縮のビデオデータを対応する差動信号に変換し、新ＴＭＤＳチャネル＃０，＃１のいずれか、あるいは双方で、ケーブル２００を介して接続されているデータ送受信部１１３に、シリアル伝送する。また、その際、ＨＤＭＩ送信／受信部８４は、非圧縮のビデオデータに付随するオーディオデータ、必要な制御データその他の補助データ等を、対応する差動信号に変換し、ビデオデータが送信されるチャネルで、データ受信部１１３に、シリアル伝送する。
【００６６】
また、データ送受信部１２３のＨＤＭＩ送信／受信部８４は、新ＴＭＤＳチャネル＃０，＃１のいずれか、あるいは双方で、データ送受信部１１３から送られてくる、ビデオデータに対応する差動信号と、オーディオデータや制御データに対応する差動信号を受信する。
【００６７】
図６に示すデータ送受信部１１３とデータ送受信部１２３とからなる伝送システム（新ＨＤＭＩ伝送システム）において、データ送受信部１１３とデータ送受信部１２３との間で、新ＴＭＤＳチャネル＃０，＃１を使用して、同相のコマンド信号の通信が可能とされる。図７は、同相で伝送されるコマンド（Command）の一例を示している。
【００６８】
図７（ａ）は、レスポンス・コマンドを示す。受信側は、同相コマンドを正しく受信した際に、送信側に対して、このレスポンス・コマンドを送信する。図７（ｂ）は、リセットフラグ・コマンドを示す。このリセットフラグ・コマンドは、受信側あるいは送信側でバス（新ＴＭＤＳチャネル）を開放したい状況が発生したとき、バス開放の要求側が非要求側に送信するコマンドである。
【００６９】
バスを開放したい状況として、例えば、送信データのフォーマット変更が考えられる。例えば、受信側からリセットフラグ・コマンドを受信した送信側は、即座にビデオデータの送信を停止し、使用していたバス（新ＴＭＤＳチャネル）を開放する。また、例えば、送信側からリセットフラグ・コマンドを受信した受信側は、即座にビデオデータによる画像表示を停止し、使用していたバス（新ＴＭＤＳチャネル）を開放する。
【００７０】
図７（ｃ）は、同期（ロック）フラグ・コマンドを示す。この同期フラグ・コマンドは、受信側で送信されてきたデータからクロック情報の抽出が可能になったとき、この受信側から送信側に送信するコマンドである。図７（ｄ）は、ネゴシエーション要求・コマンドを示す。このネゴシエーション要求・コマンドは、伝送要求等の通信（差動信号通信）を行うために、送信側から受信側に送信するコマンドである。
【００７１】
図６に示すデータ送受信部１１３とデータ送受信部１２３とからなる伝送システムにおいては、データ送受信部１１３とデータ送受信部１２３との間で、新ＴＭＤＳチャネルを用いて、上述の差動信号通信を行うことが可能とされている。この差動信号通信のために、基本設定として、例えば、一方の新ＴＭＤＳチャネルはデータ送受信部１１３からデータ送受信部１２３への通信に対応し、他方の新ＴＭＤＳチャネルはデータ送受信部１２３からデータ送受信部１１３への通信に対応するようにされている。
【００７２】
ネゴシエーション要求・コマンドは、２つの新ＴＭＤＳチャネルのうち、自身の送信方向に対応している新ＴＭＤＳチャネルが使用状態にある場合、差動信号通信を行うために、残りの未使用の新ＴＭＤＳチャネルの通信方向を変更するために必要となるコマンドである。
【００７３】
同相信号は通常、双方ともドライブせず、ハイインピーダンス状態となっている。コマンドを送信する際は、バスが１０ｍｓ以上ドライブされていないことを確認した上で、図示のタイミングでドライブする。受信側はレスポンスを返すまでは次のコマンドを送信してはいけない。送信側はレスポンスの受信がなければコマンドを再送してもよい。同相信号によるコマンドのやり取りは、１本を使用中および使用しようとする際は、その新ＴＭＤＳチャンネルに対して、２本が使用中あるいは２本を使用しようとする際は、その双方に対してやり取りされる。例えば、ビデオデータの伝送を２本のチャンネルで伝送する際は、両方のチャンネルからの同期（ロック）フラグが確認されてから当該伝送が実施される。
【００７４】
図６に示すデータ送受信部１１３とデータ送受信部１２３とからなる伝送システム（新ＨＤＭＩ伝送システム）においては、上述したように、データ送受信部１１３とデータ送受信部１２３との間で、同相のコマンド信号の通信および差動信号通信が可能とされる。そのため、ビデオデータ伝送のための構成の確立、変更およびバス（新ＴＭＤＳチャネル）のリセット等を、図３に示すデータ送信部１１２とデータ受信部１２２とからなる伝送システム（従来ＨＤＭＩ伝送システム）と独立して実行が可能となる。
【００７５】
つまり、データ送受信部１１３とデータ送受信部１２３とからなる伝送システムは、データ送信部１１２とデータ受信部１２２とからなる伝送システムと同期して動作することも、独立して動作することも可能となる。したがって、従来ＨＤＭＩ伝送システムの部分は従来のＨＤＭＩデバイスを使用し、新ＨＤＭＩ伝送システムの部分は新規デバイスを使用し、同期連携するための制御をシステムで行うことにより、導入を容易にすることも可能となる。
【００７６】
図８は、新ＨＤＭＩ伝送システムにおける差動信号ライン（データラインペア）の模式図を示している。データ送受信部１１３のＨＤＭＩ送信／受信部８３およびデータ送受信部１２３のＨＤＭＩ送信／受信部８４は、キャパシタを介して、ケーブル２００の差動信号ラインに接続され、いわゆるＡＣ結合での伝送が行われる。このＡＣ結合により、耐圧の高いドライバ/レシーバを使う必要がなくなり、消費電力の低下、回路サイズの縮小なども可能になる。つまり、同じ１差動信号ラインを使ってビデオデータ伝送する際でも、新ＴＭＤＳチャネルを使用する方が伝送スピードを上げたとしても低消費電力で動作させることが可能となる。
【００７７】
図５（ｂ）は、新ＴＭＤＳチャネル＃ｉ（ｉ＝０，１）で伝送される各色のビデオデータのコーディング（ＴＭＤＳコーディング）を示している。この場合、赤色（Ｒ）データ、緑色（Ｇ）データおよび青色（Ｂ）データのそれぞれ４ビットデータがＤＣフリーかつクロック再生可能な（セルフクロック方式の）５ビットデータに符号化される。ＨＤＭＩ送信／受信部８３，８４は、上述したように符号化されて得られた各色の５ビットデータからなる１５ビットデータ単位で送信する。つまり、新ＴＭＤＳチャネル＃ｉ（ｉ＝０，１）では、ＴＭＤＳクロックの１クロックの間に、１５ビットのビデオデータ（符号化ビデオデータ）が送信される。
【００７８】
図９は、ＴＭＤＳ伝送データの構造例を示している。この図９は、ＴＭＤＳチャネル＃０〜＃２、あるいは新ＴＭＤＳチャネル＃０，＃１の２つまたは１つにおいて、横×縦がＢピクセル×Ａラインのビデオデータが伝送される場合の、各種の伝送データの区間を示している。伝送データが伝送されるビデオフィールド（Video Field）区間には、伝送データの種類に応じて、３種類の区間が存在する。この３種類の区間は、ビデオデータ区間（Video Data period）、データアイランド区間（Data Islandperiod）、およびコントロール区間（Control period）である。
【００７９】
ここで、ビデオフィールド区間は、ある垂直同期信号の立ち上がりエッジ（active edge）から次の垂直同期信号の立ち上がりエッジまでの区間である。このビデオフィールド区間は、水平ブランキング期間（horizontal blanking）、垂直ブランキング期間（verticalblanking）、並びに、アクティブビデオ区間（Active Video）に分けられる。
【００８０】
このアクティブビデオ区間は、ビデオフィールド区間から、水平ブランキング期間および垂直ブランキング期間を除いた区間である。ビデオデータ区間は、アクティブビデオ区間に割り当てられる。このビデオデータ区間では、非圧縮の１画面分の画像データを構成するＢピクセル（画素）×Ａライン分の有効画素（Active pixel）のデータが伝送される。
【００８１】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。
【００８２】
このデータアイランド区間では、補助データのうち、制御に関係しないデータである、例えば、オーディオデータのパケット等が伝送される。コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００８３】
ここで、新ＨＤＭＩ機器であるソース機器１１０のレセプタクル１１１および新ＨＤＭＩ機器であるシンク機器１２０のレセプタクル１２１のピン配列を説明する。新ＨＤＭＩ機器のレセプタクルの構造は、従来ＨＤＭＩ機器のレセプタクルの構造と同じくされる。そのため、新ＨＤＭＩ機器のために専用のコネクタを設ける必要はない。
【００８４】
最初に、図１０（ａ）を参照して、従来ＨＤＭＩ機器におけるレセプタクルのピン配列（タイプＡ）を説明する。ＴＭＤＳチャネル＃ｉ（ｉ＝０〜２）の差動信号であるＴＭＤＳ  Ｄａｔａ＃ｉ＋とＴＭＤＳ  Ｄａｔａ＃ｉ−は、差動ラインである一対のライン（２本のライン）により伝送される。ピン（ピン番号が７，４，１のピン）はＴＭＤＳ  Ｄａｔａ＃ｉ＋に割り当てられ、ピン（ピン番号が９，６，３のピン）はＴＭＤＳ  Ｄａｔａ＃ｉ−に割り当てられている。なお、ピン番号が８，５，２のピンは、ＴＭＤＳ  Ｄａｔａ＃ｉ  Ｓｈｉｅｌｄ（ｉ＝０〜２）に割り当てられている。
【００８５】
ＴＭＤＳクロックチャネルの差動信号であるＴＭＤＳ  Ｃｌｏｃｋ＋とＴＭＤＳ  Ｃｌｏｃｋ−は差動ラインである２本のラインにより伝送される。ピン番号が１０のピンはＴＭＤＳ  Ｃｌｏｃｋ＋に割り当てられ、ピン番号が１２のピンはＴＭＤＳ  Ｃｌｏｃｋ−に割り当てられている。なお、ピン番号が１１のピンは、ＴＭＤＳ  Ｃｌｏｃｋ  Ｓｈｉｅｌｄに割り当てられている。
【００８６】
また、制御用のデータであるＣＥＣ信号は、ＣＥＣラインにより伝送される。ピン番号が１３であるピンは、ＣＥＣ信号に割り当てられている。また、Ｅ−ＥＤＩＤ等のＳＤＡ（Serial Data）信号は、ＳＤＡラインにより伝送される。ピン番号が１６であるピンは、ＳＤＡ信号に割り当てられている。また、ＳＤＡ信号の送受信時の同期に用いられるクロック信号であるＳＣＬ（Serial Clock）信号は、ＳＣＬラインにより伝送される。ピン番号が１５であるピンは、ＳＣＬに割り当てられている。なお、上述のＤＤＣラインは、ＳＤＡラインおよびＳＣＬラインにより構成される。
【００８７】
また、ピン番号が１９であるピンは、ＨＰＤ（Hot Plug Detect）に割り当てられている。また、ピン番号が１４であるピンは、リザーブ（Reserve）に割り当てられている。また、ピン番号が１７であるピンは、ＤＤＣ／ＣＥＣGroundに割り当てられている。さらに、ピン番号が１８であるピンは、電源（＋５Ｖ Power）に割り当てられている。
【００８８】
次に、図１０（ｂ）を参照して、新ＨＤＭＩ機器におけるレセプタクルのピン配列を説明する。ＴＭＤＳチャネル＃ｉ（ｉ＝０〜２）の差動信号であるＴＭＤＳ  Ｄａｔａ＃ｉ＋とＴＭＤＳ  Ｄａｔａ＃ｉ−は、差動ラインである２本のラインにより伝送される。ピン（ピン番号が１，４，７のピン）はＴＭＤＳ  Ｄａｔａ＃ｉ＋に割り当てられ、ピン（ピン番号が３，６，９のピン）はＴＭＤＳ  Ｄａｔａ＃ｉ−に割り当てられている。
【００８９】
また、新ＴＭＤチャネル＃１（ｉ＝０，１）の差動信号であるＮＥＷ  ＴＭＤＳ  Ｄａｔａ＃ｉ＋とＮＥＷ  ＴＭＤＳ  Ｄａｔａ＃ｉ−は、差動ラインである一対のライン（２本のライン）により伝送される。ピン（ピン番号が２，８のピン）はＮＥＷ  ＴＭＤＳ  Ｄａｔａ＃ｉ＋に割り当てられ、ピン（ピン番号が５，１１のピン）はＮＥＷ  ＴＭＤＳ  Ｄａｔａ＃ｉ−に割り当てられている。
【００９０】
また、制御用のデータであるＣＥＣ信号は、ＣＥＣラインにより伝送される。ピン番号が１３であるピンは、ＣＥＣ信号に割り当てられている。また、Ｅ−ＥＤＩＤ等のＳＤＡ（Serial Data）信号は、ＳＤＡラインにより伝送される。ピン番号が１６であるピンは、ＳＤＡ信号に割り当てられている。また、ＳＤＡ信号の送受信時の同期に用いられるクロック信号であるＳＣＬ（Serial Clock）信号は、ＳＣＬラインにより伝送される。ピン番号が１５であるピンは、ＳＣＬに割り当てられている。なお、上述のＤＤＣラインは、ＳＤＡラインおよびＳＣＬラインにより構成される。
【００９１】
また、ピン番号が１９であるピンは、ＨＰＤ（Hot Plug Detect）に割り当てられている。また、ピン番号が１４であるピンは、リザーブ（Reserve）に割り当てられている。また、ピン番号が１７であるピンは、ＤＤＣ／ＣＥＣGroundに割り当てられている。さらに、ピン番号が１８であるピンは、電源（＋５Ｖ Power）に割り当てられている。
【００９２】
上述したように、新ＨＤＭＩ機器におけるレセプタクルのピン配列（図１０（ｂ）参照）では、従来ＨＤＭＩ機器におけるレセプタクルのピン配列（図１０（ａ）参照）でシールド端子として用いられている端子（ピン番号が２，５，８，１１のピン）が、新たにデータ端子として用いられる。
【００９３】
図１１（ａ）は、従来ＨＤＭＩ機器におけるレセプタクルのピン配置を示している。また、図１１（ｂ）は、新ＨＤＭＩ機器におけるレセプタクルのピン配置を示している。なお、新ＨＤＭＩ機器において、新ＨＤＭＩ伝送システムを構成するデータ送受信部が使用状態にないとき、ピン番号が２，５，８，１１のピンは接地される。これにより、相手側の機器や伝送路が従来のＨＤＭＩに対応したものである場合に、互換性を確保することが可能となる。
【００９４】
図１２（ａ）は、ケーブル２００として使用される従来ＨＤＭＩケーブルの構造例を示している。この従来ＨＤＭＩケーブルは、３つのデータラインペアがそれぞれ特性を得るためにシールドツイストペア部として構成されている。また、クロックラインペアも、シールドツイストペア部として構成されている。
【００９５】
図１２（ｂ）は、シールドツイストペア部の構造例を示している。このシールドツイストペア部は、２本の電線３と、ドレイン線４とが、シールド部材５で覆われた構造となっている。なお、電線３は、芯線１が被覆部２により覆われて構成されている。
【００９６】
従来ＨＤＭＩケーブルでは、データおよびクロックの各シールドツイストペア部を構成するドレイン線は、このケーブルの端部に取りつけられたプラグのピンに接続されている。この場合、各ドレイン線は、上述したレセプタクル（従来ＨＤＭＩのピン配置）の各シールド端子（ピン番号が２，５，８，１１のシールド用ピン）に対応したピン（端子）に接続されている。これらのシールド端子はソース機器１１０およびシンク機器１２０において接地される。そのため、データおよびクロックの各シールドツイストペア部を構成するドレイン線は、プラグがレセプタクル（現行ＨＤＭＩのピン配置）に接続された状態では接地された状態となる。
【００９７】
図１３は、ケーブル２００として使用される新ＨＤＭＩケーブルの構造例を示している。この新ＨＤＭＩケーブルは、６つのデータラインペアがそれぞれ特性を得るためにシールドツイストペア部として構成されている。すなわち、ＴＭＤＳチャネルに対応した３つのデータラインペアがそれぞれ特性を得るためにシールドツイストペア部として構成されている。また、ＴＭＤＳクロックチャネルに対応したクロックラインペアも、シールドツイストペア部として構成されている。さらに、新ＴＭＤＳチャネルに対応した２つのデータラインペアがそれぞれ特性を得るためにシールドツイストペア部として構成されている。
【００９８】
新ＨＤＭＩケーブルは、従来ＨＤＭＩケーブル（図１２（ａ）参照）に比べて、接続すべき個々の銅線の数が増えている。この新ＨＤＭＩケーブルでは、ケーブルの両端のプラグの専用ピンにて接続されていた各シールドツイストペア部を構成するドレイン線は、プラグの金属製のシェルに接続される。そのため、シールド用ピンが開放され、プラグの必要ピン数の増加が回避され、新ＨＤＭＩケーブルにおけるプラグは、従来ＨＤＭＩケーブルのプラグと同様のものとされる。なお、金属製シェルは従来、外部への輻射などを防止する目的で設けられているため、接続確立時に接続される機器内で接地レベルに接続されることから、これまでとの機能的な差異はない。
【００９９】
このように、各シールドツイストペア部を構成するドレイン線がプラグの金属製のシェルに接続されるものにあっては、プラグが差し込まれるレセプタクルのシェルが接地レベルと接続されていることにより、差動信号ラインのシールドを確保することができる。また、この場合、ケーブルの両端のプラグの金属製のシェルはドレイン線で短絡（ショート）された状態となり、ケーブルの両端の接地レベルが共有され、同一レベルとなる。これにより、ケーブルの伝送能力やノイズ耐性などを向上させることができる。
【０１００】
図１４は、ケーブル２００として使用される新ＨＤＭＩケーブルの他の構造例を示している。この新ＨＤＭＩケーブルは、断面形状を平たくしたことを除き、実質的な構造は、上述の図１３に示す新ＨＤＭＩケーブルと同様である。なお、このように断面形状を平たくすることで、断面積を小さくでき、また、インピーダンス整合を取りやすくなることが知られている。
【０１０１】
［新ＨＤＭＩ機能によるビデオデータ伝送の可否判別］
次に、ソース機器１１０の制御部１１４における新ＨＤＭＩ機能によるビデオデータ伝送の可否判別について説明する。制御部１１４は、ケーブルが新ＨＤＭＩケーブルで、かつシンク機器が新ＨＤＭＩ機器である場合、新ＨＤＭＩ機能によるビデオデータ伝送が可能であると判断する。なお、図１に示すＡＶシステム１０おいては、上述したように、ケーブル２００は新ＨＤＭＩケーブルであり、シンク機器１２０は新ＨＤＭＩ機器である。
【０１０２】
図１５のフローチャートは、制御部１１４における新ＨＤＭＩ機能によるビデオデータ伝送の可否判別の手順の一例を示している。制御部１１４は、ステップＳＴ１において、処理を開始し、その後に、ステップＳＴ２の処理に移る。このステップＳＴ２において、制御部１１４は、ソース機器１１０が新ＨＤＭＩ機能によるビデオデータ伝送のためのデータ送受信部を備えた新ＨＤＭＩ機器であるか否かを判断する。制御部１１４は、自身が存在するソース機器１１０の能力情報を予め備えていることから、この判断に関しては容易に行うことができる。なお、ソース機器１１０が新ＨＤＭＩに対応していることが明らかであるので、制御部１１４は、このステップＳＴ２の判断処理を省略してもよい。
【０１０３】
ソース機器１１０が新ＨＤＭＩに対応していると判断するとき、制御部１１４は、ステップＳＴ３において、ケーブルを介して接続されているシンク機器が新ＨＤＭＩ機能によるビデオデータ伝送のためのデータ送受信部を備えた新ＨＤＭＩ機器であるか否かを判断する。この判断の詳細については、後述する。シンク機器が新ＨＤＭＩ機器であると判断するとき、制御部１１４は、ステップＳＴ４の処理に移る。このステップＳＴ４において、制御部１１４は、ケーブルが新ＨＤＭケーブル（図１３参照）に対応しているか否かを判断する。この判断の詳細については、後述する。
【０１０４】
ケーブルが新ＨＤＭＩケーブルであると判断するとき、制御部１１４は、ステップＳＴ５の処理に移る。このステップＳＴ５において、制御部１１４は、新ＨＤＭＩ機能によるビデオデータ伝送が可能であると判断する。この場合には、ソース機器１１０は、ケーブルを介して接続されているシンク機器との間で、従来ＨＤＭＩ機能によるビデオデータ伝送によるビデオデータ伝送に加えて、新ＨＤＭＩ機能によるビデオデータ伝送が可能となる。
【０１０５】
ステップＳＴ２でソース機器１１０が新ＨＤＭＩ機器でないと判断するとき、制御部１１４は、ステップＳＴ６の処理に移る。また、ステップＳＴ３でシンク機器が新ＨＤＭＩ機器でないと判断するとき、制御部１１４は、ステップＳＴ６の処理に移る。さらに、ステップＳＴ４でケーブルが新ＨＤＭＩケーブルでないと判断するとき、制御部１１４は、ステップＳＴ６の処理に移る。このステップＳＴ６において、制御部１１４は、新ＨＤＭＩ機能によるビデオデータ伝送が不可能であると判断する。この場合には、ソース機器１１０は、ケーブルを介して接続されているシンク機器との間で、従来ＨＤＭＩ機能によるビデオデータ伝送のみが可能となる。
【０１０６】
なお、制御部１１４は、例えば、ステップＳＴ３でシンク機器１２０が新ＨＤＭＩ機器であると判断したとき、最終的な判断結果を、ケーブルを介して、シンク機器に送信する。この判断結果の送信は、例えば、従来ＨＤＭＩ伝送システムのＣＥＣライン、あるいは新ＴＭＤＳチャネルに対応したデータラインペアなどを用いることで行われる。シンク機器は、このソース機器１１０から送られてくる判断結果に基づき、ソース機器１１０との間における新ＨＤＭＩ機能によるビデオデータ伝送の可否を判断できる。
【０１０７】
また、制御部１１４は、ステップＳＴ５で新ＨＤＭＩ機能によるビデオデータ伝送が可能であると判断するとき、その旨を示すＵＩ画面を、例えば、図１６（ａ）に示すように、表示部（ディスプレイ）に表示するように制御してもよい。このＵＩ画面により、ユーザは、新ＨＤＭＩ機能によるビデオデータ伝送が可能であることを、容易に把握できる。なお、ＵＩ画面が表示される表示部（ディスプレイ）は、ソース機器１１０に設けられた図示しない表示部（ディスプレイ）、あるいは、シンク機器１２０に設けられた図示しない表示部（ディスプレイ）である。これは、以下の各ＵＩ表示に関しても同様である。
【０１０８】
また、制御部１１４は、ステップＳＴ４でケーブルが新ＨＤＭＩケーブルでないと判断し、ステップＳＴ６の処理に移るとき、その旨を示すＵＩ画面を、例えば、図１６（ｂ）に示すように、表示部（ディスプレイ）に表示するように制御してもよい。このＵＩ画面により、ユーザは、ソース機器１１０およびシンク機器は新ＨＤＭＩ機器であるが、ケーブルが新ＨＤＭＩケーブルでないことを容易に認識でき、ケーブルを新ＨＤＭＩケーブルに取り替える等の対策を容易にとることができる。
【０１０９】
［新ＨＤＭＩ伝送システムの伝送開始時および終了時における手順］
次に、図１に示すＡＶシステム１０における新ＨＤＭＩ伝送システムの伝送開始時および終了時における手順について説明する。図１７のシーケンス図は、その手順の一例を示している。
【０１１０】
２つの新ＨＤＭＩ差動データライン（新ＴＭＤＳチャネルに対応したデータラインペア）の両方が未使用である場合、新ＴＭＤＳチャネル＃０は従来ＨＤＭＩ接続におけるソース機器からシンク機器への伝送が可能となるように、新ＴＭＤＳチャネル＃１は従来ＨＤＭＩ接続におけるシンク機器からソース機器への伝送が可能になるように、予め構成されている。また、チャネル＃０あるいはチャネル＃１のいずれか一方が使用中で、他方が未使用であった場合は、双方の機器は、未使用新ＴＭＤＳチャネルを開放しておく。
【０１１１】
また、同相信号の送信機、受信機は常に動作しており、送信機はバスが未使用、つまりハイインピーダンス状態にあることを確認した上でドライブし、コマンドを送信する。
【０１１２】
ビデオデータを伝送しようとする一方の機器は、１つしか未使用の新ＴＭＤＳチャネルが存在していない場合は、他方の機器に対して、未使用の新ＴＭＤＳチャンネルの同相信号としてネゴシエーション要求・コマンド（図７（ｄ）参照）を送付する（図中（１）参照）。ここで、一方の機器は、図中および以降、「Source」と示し、必ずしも既存ＨＤＭＩ接続におけるソース機器とは限らない。また、他方の機器は、図中および以降、「Sink」と示し、必ずしも既存ＨＤＭＩ接続におけるシンク機器とは限らない。
【０１１３】
ネゴシエーション要求を送信した「Source」は未使用新ＴＭＤＳチャネルの差動信号送受信機を送信構成にする。ネゴシエーション要求を受信した「Sink」は未使用の新ＴＭＤＳチャネルの差動信号送受信機を受信構成にし、待機する。２つの新ＴＭＤＳチャネルの両方とも未使用であった場合は、図中（１）の動作は必要なく、自身の送信方向に対応している新ＴＭＤＳチャネルの差動信号を用いて、以降の手順を実施する。
【０１１４】
「Source」は、新ＴＭＤＳチャネルの差動信号を用いて、伝送要求（コマンド）を「Sink」へ送付する（図中（２）参照）。この伝送においては、高速な伝送は必要とされず、受信側でのクロック同期を必要としない十分低速な信号で構わない。
【０１１５】
この伝送要求には、２つの新ＴＭＤＳチャネルの両方とも未使用であった場合は、使用する新ＴＭＤＳチャネルの本数（１または２）に関する情報が含まれる。また、この伝送要求には、既存ＨＤＭＩの送信方向と同じであった場合は、既存ＨＤＭＩ送信との同期の有無（有または無）に関する情報が含まれる。さらに、この伝送要求には、ビデオデータ伝送時の伝送周波数（クロック周波数）に関する情報が含まれる。この伝送周波数に関する情報は、別途予め取得済の「Sink」の受信能力に関する情報（ＥＤＩＤ）を考慮し、「Sink」の受信能力を超えないものとされる。
【０１１６】
伝送要求（コマンド）の送信を完了した「Source」は、実際にビデオデータの伝送を行う新ＴＭＤＳチャネル（＃０または＃１、またはその両方）に対して、「Sink」側でクロック生成を安定して行うための、先に通知した伝送周波数の訓練用データ（ランダムデータ）を、実際に新ＴＭＤＳチャネルの差動信号として伝送する（図中（３）参照）。この訓練用データは、ビデオ信号に含まれる各種タイミング信号（垂直同期信号及び水平同期信号）を含まない、クロック抽出訓練に適したランダムなパターンの信号となる。
【０１１７】
「Sink」側は、予め取得した伝送周波数の情報に基づき、自身のクロック抽出回路を動作させ、「Source」から送信される訓練データを用いて、クロックの抽出を試みる。「Sink」側が安定して受信データからクロック情報の抽出が可能になった段階で、受信している新ＴＭＤＳチャンネルの同相信号を用いて、同期フラグ・コマンド（図７（ｃ）参照）を送信し、「Source」側へビデオデータ受信準備完了を報告する（図中（４）参照）。この同期フラグ・コマンドの送信は、２つの新ＴＭＤＳチャネルの双方を用いた伝送を行う際には、それぞれのチャネルに対して行う。
【０１１８】
伝送を行う新ＴＭＤＳチャネルの全て（＃０または＃１、またはその両方）から同期フラグ・コマンドを受信後、「Source」は、新ＴＭＤＳチャネルの差動信号として、ビデオデータの送信を開始する（図中（５）参照）。以上の手順で新ＨＤＭＩ差動データラインを用いたビデオデータの伝送が開始される。
【０１１９】
また、「Source」機器が、ビデオコンテンツの解像度の変更を行う際、あるいは「Sink」の電源が落とされ、ビデオコンテンツの受信が不要になった場合などにおいては、新ＴＭＤＳチャンネルはリセットされ、「Source」および「Sink」から解放され、未使用となる。新ＴＭＤＳチャンネルのリセットは、チャンネル毎に独立して実施されてもよい。
【０１２０】
新ＴＭＤＳチャンネルをリセットしたい機器（図中の場合は「Source」だが、「Sink」がリセットを要求する場合もある）は、差動信号でビデオデータ伝送中の新ＴＭＤＳチャネル（＃０または＃１、またはその両方）の同相信号として、リセットフラグ・コマンド（図７（ｂ）参照）を相手に伝送する（図中（６）参照）。
【０１２１】
リセットフラグ・コマンドを受信した機器は、伝送中の自身の新ＴＭＤＳチャンネルの受信機、あるいは送信機を非アクティブ状態にして、ビデオデータ伝送中の新ＴＭＤＳチャネルを開放し、未使用状態とする（図中（７）、（８）参照）。再度、ビデオデータ伝送を開始する際は、上述した図中（１）からの手順を再度実施することにより、再開される。
【０１２２】
［ビデオデータ伝送例］
次に、図１に示すＡＶシステム１０におけるビデオデータ伝送例を説明する。
【０１２３】
「伝送例１：４Ｋ２Ｋ、６０Ｈｚ、プログレッシブビデオデータ伝送」
この伝送例１では、従来ＨＤＭＩ伝送システム（データ送信部１１２、データ受信部１２２）と、新ＨＤＭＩ伝送システム（データ送受信部１１３、データ送受信部１２３）とが、同等の伝送を同期して行い、４Ｋ２Ｋ、６０Ｈｚ、プログレッシブビデオデータが伝送される。
【０１２４】
図１８は、伝送例１を示している。図中、ＴＭＤＳチャネル＃０，＃１，＃２およびＴＭＤＳクロックチャネルは、従来ＨＤＭＩ伝送システム部分であり、従来ＨＤＭＩ規格に従って、４Ｋ２Ｋ、３０Ｈｚ、プログレッシブビデオデータを、伝送する。この伝送は、ソース機器１１０のデータ送信部１１２およびシンク機器１２０のデータ受信部１２２により行われる。
【０１２５】
ここでは、１ピクセルクロック区間、つまり１ＴＭＤＳクロック（TMDS Clock）サイクル当たり、各チャネルにおいて、８ビットのビデオデータが１０ビットデータとして伝送される。各チャネルの伝送レートは、ピクセルクロックレート（２９７ＭＨｚ）の１０倍の２．９７Ｇｂｐｓとなる。この場合、１ＴＭＤＳクロックサイクル当たり、チャネル＃０では青色（Ｂ）の８ビットデータ、チャネル＃１では緑色（Ｇ）の８ビットデータ、チャネル＃２では赤色（Ｒ）の８ビットデータが伝送される。
【０１２６】
また、図中、新ＴＭＤＳチャネル＃０，＃１は、新ＨＤＭＩ伝送システム部分であり、残りの、４Ｋ２Ｋ、３０Ｈｚ、プログレッシブビデオデータを、伝送する。この伝送は、ソース機器１１０のデータ送受信部１１３およびシンク機器１２０のデータ送受信部１２３により行われる。
【０１２７】
ここでは、１ピクセルクロック区間、つまり１ＴＭＤＳクロック（TMDS Clock）サイクル当たり、各チャネルにおいて、１２ビットのデータが１５ビットデータとして伝送される。各チャネルの伝送レートは、ピクセルクロックレート（２９７ＭＨｚ）の１５倍の４．４５Ｇｂｐｓとなる。つまり、新ＴＭＤＳチャネルは、従来ＴＭＤＳチャネルの１．５倍の伝送能力を持つことになる。この場合、ＴＭＤＳクロックサイクル当たり、各チャネルにおいて、青色（Ｂ）、緑色（Ｇ）、赤色（Ｒ）の各データが４ビットずつ伝送される。これにより、ＴＭＤＳクロックサイクル当たり、２つの新ＴＭＤＳチャネルで、各色の８ビットデータが伝送される。
【０１２８】
図１９は、上述したように、４Ｋ２Ｋ、６０Ｈｚ、プログレッシブビデオデータの伝送を行う場合におけるソース機器１１０およびシンク機器１２０の構成の、より詳細な構成例を示すブロック図である。この図１９において、図１と対応する部分には、同一符号を付し、適宜、その詳細説明を省略する。
【０１２９】
ソース機器１１０は、上述したデータ送信部１１２およびデータ送受信部１１３の他に、フレーム分割処理部１１５と、フレームバッファ１１６ａ，１１６ｂと、分周器１１７を有している。フレーム分割処理部１１５では、ビデオデータ、オーディオデータが、フレーム分割、つまりフレーム単位で分割される。そして、フレーム分割処理部１１５では、奇数フレームからなる第１のビデオデータおよびそれに対応した第１のオーディオデータと、偶数フレームからなる第２のビデオデータおよびそれに対応した第２のオーディオデータが得られる。
【０１３０】
ここで、送信すべきビデオデータは、４Ｋ２Ｋ、６０Ｈｚプログレッシブビデオデータである。このビデオデータがフレーム分割されて得られる第１のビデオデータ、第２のビデオデータは、４Ｋ２Ｋ、３０Ｈｚプログレッシブビデオデータとなる。
【０１３１】
フレームバッファ１１６ａでは、フレーム分割処理部１１５で得られた第１のビデオデータ、第１のオーディオデータが一時的に蓄積される。フレームバッファ１１６ｂでは、フレーム分割処理部１１５で得られた第２のビデオデータ、第２のオーディオデータが一時的に蓄積される。分周器１１７では、分割前のビデオデータに対応したピクセルクロックが１／２分周されてＴＭＤＳクロックを生成され、データ送信部１１２およびデータ送受信部１１３に供給される。
【０１３２】
データ送信部１１２は、上述したように、従来ＨＤＭＩ伝送システムを構成している。このデータ送信部１１２では、ケーブル２００のＴＭＤＳチャネル＃０，＃１，＃２のデータラインペアにより、ビデオデータおよびオーディオデータが、シンク機器１２０のデータ受信部１２２に送信される。また、データ送受信部１１３は、上述したように、新ＨＤＭＩ伝送システムを構成している。このデータ送受信部１１３では、ケーブル２００の新ＴＭＤＳチャネル＃０，＃１のデータラインペアにより、ビデオデータおよびオーディオデータが、シンク機器１２０のデータ送受信部１２３に送信される。
【０１３３】
データ送信部１１２およびデータ送受信部１１３では、それぞれ、分割ビデオデータとしての第１、第２のビデオデータが、フレーム毎に、連結すべき他の分割ビデオデータの存在を示す第１の情報、および、当該他の分割ビデオデータとの同期をとるための第２の情報が付加されて送信される。第２の情報は、タイムコード情報と、このタイムコード情報が示すタイムコードを持つ２つのフレームにおける配列順を示す配列情報とからなっている。
【０１３４】
データ送信部１１２、データ送受信部１１３では、それぞれ、フレーム毎の第１の情報および第２の情報が、分割ビデオデータとしての第１、第２のビデオデータのブランキング期間に挿入されて送信される。例えば、データ送信部１１２、データ送受信部１１３では、第１の情報および第２の情報が、ＨＤＭＩ・ベンダー・スペシフィック・インフォフレームを利用して、シンク機器１２０に送信される。
【０１３５】
図２０は、ＨＤＭＩ・ベンダー・スペシフィック・インフォフレームのパケット（以下、適宜、「ＶＳＩＦパケット」という）の構造例を示している。このパケット構造は、ＣＥＡ８６１規格にて規定されており、詳細説明は省略する。このＶＳＩＦパケットは、パケットヘッダとパケットボディで構成される。図２０には、説明を簡単にするため、パケットボディの構造のみを示している。
【０１３６】
第５バイト（ＰＢ５）の第７ビットに、第１の情報を構成する「DualLink」が配置される。この１ビット情報が“１”である場合、連結すべき他の分割ビデオデータの存在を示す。つまり、この１ビット情報を“１”とすることで、受信側に、本分割ビデオデータと結合すべき他の分割ビデオデータの存在を認識させ、結合（フレーム配列）処理による受信ビデオデータの生成を要求できる。
【０１３７】
第６バイト（ＰＢ６）から第９バイト（ＰＢ９）にタイムコード情報が配置される。ここで、第６バイト、第７バイト、第８バイトおよび第９バイトは、それぞれ、タイムコードの「フレーム」、「秒」、「分」および「時」を表す。また、第１０バイト（ＰＢ１０）の第７ビットに、配列情報としての「Even/Odd」が配置される。この１ビット情報が“０”である場合、当該フレームは偶数（Even）フレームであることを示す。一方、この１ビット情報が“１”である場合、当該フレームは奇数（Odd）フレームであることを示す。
【０１３８】
シンク機器１２０は、ケーブル２００で送られてくる各分割ビデオデータについて、それに付加されているＶＳＩＦパケットの「DualLink」の情報により、結合処理による受信ビデオ信号の生成が要求されていることを把握できる。また、シンク機器１２０は、各分割ビデオデータについて、ＶＳＩＦパケットの第６バイトから第９バイトのタイムコード情報から同じタイムコードを持つ２つのフレームを順次認識できる。そして、シンク機器１２０は、「Even/Odd」の１ビット情報で示す配列順により配列して、合成された受信ビデオデータを生成できる。
【０１３９】
図１９に戻って、シンク機器１２０は、上述したデータ受信部１２２およびデータ送受信部１２３の他に、制御部１２４と、フレームバッファ１２５ａ，１２５ｂと、フレーム配列処理部１２６と、逓倍器１２７を有している。
【０１４０】
データ受信部１２２は、上述したように従来ＨＤＭＩ伝送システムを構成している。このデータ受信部１２２では、ソース機器１１０のデータ送信部１１２からケーブル２００のＴＭＤＳチャネル＃０，＃１，＃２のデータラインペアにより送られてくる第１のビデオデータが受信される。また、データ送受信部１２３は、上述したように新ＨＤＭＩ伝送システムを構成している。このデータ送受信部１２３では、ソース機器１１０のデータ送受信部１１３からケーブル２００の新ＴＭＤＳチャネル＃０，＃１のデータラインペアにより送られてくる第２のビデオデータが受信される。
【０１４１】
上述したように、分割ビデオデータとしての第１、第２のビデオデータには、それぞれ、フレーム毎に、連結すべき他の分割ビデオデータの存在を示す第１の情報、および、この連結すべき他の分割ビデオ信データとの同期をとるための第２の情報が付加されている。
【０１４２】
フレームバッファ１２５ａでは、データ受信部１２２で受信された第１のビデオデータ、第１のオーディオデータが一時的に蓄積される。フレームバッファ１２５ｂでは、データ送受信部１２３で受信された第２のビデオデータ、第２のオーディオデータが一時的に蓄積される。フレーム配列処理部１２６では、フレームバッファ１２５ａに保持されている第１のビデオデータ、第１のオーディオデータと、フレームバッファ１２５ｂに保持されている第２のビデオデータ、第２のオーディオデータがフレーム配列されて合成される。これにより、フレーム配列処理部１２６では、受信ビデオデータおよび受信オーディオデータが生成される。
【０１４３】
ここで、制御部１２４では、第１、第２のビデオデータに付加されている第１の情報（ＶＳＩＦパケットの「DualLink」の１ビット情報）により、各ビデオデータが結合対象であって、結合処理による受信ビデオデータの生成が要求されていることが把握される。そして、制御部１２４により、フレーム配列処理部１２６における配列処理が起動される。
【０１４４】
フレーム配列処理部１２６では、第１、第２のビデオデータに付加されている第２の情報（タイムコード情報、配列情報）に基づいて、フレーム配列処理が行われて、受信ビデオデータ、受信オーディオデータが生成される。すなわち、フレーム配列処理部１２６では、ＶＳＩＦパケットのタイムコード情報から同じタイムコードを持つ２つのフレームが順次認識され、「Even/Odd」の１ビット情報で示す配列順により配列されて、合成された受信ビデオデータ、受信オーディオデータが得られる。
【０１４５】
逓倍器１２７では、データ受信部１２２あるいはデータ送受信部１２３、この実施の形態においては、データ送受信部１２３で得られたＴＭＤＳクロックが２逓倍されてピクセルクロックが生成される。このピクセルクロックは、シンク機器１２０において、受信ビデオデータ、受信オーディオデータを処理するために使用される。
【０１４６】
「伝送例２：フルＨＤ、６０Ｈｚ、１６ビットディープカラービデオデータ伝送」
この伝送例２では、従来ＨＤＭＩ伝送システム（データ送信部１１２、データ受信部１２２）と、新ＨＤＭＩ伝送システム（データ送受信部１１３、データ送受信部１２３）とが、上述の伝送例１と同様に、連携使用される。そして、この伝送例２では、１９２０×１０８０ピクセル、６０Ｈｚ、プログレッシブビデオデータ（ＲＧＢの各色情報は１６ビットである）が伝送される。
【０１４７】
図２１は、伝送例２を示している。図示のように、従来ＨＤＭＩ伝送路では、各色１６ビットのうち、上位８ビットが伝送される。これは、２４ビットの非ディープカラー（Deep  Color）モードで伝送されるべき、ビデオデータとなる。また、新ＨＤＭＩ伝送路で、各色１６ビットのうち、下位８ビットが伝送される。この新ＨＤＭＩ伝送路で伝送された色情報が従来ＨＤＭＩ伝送路で伝送された色情報と同期して用いられることにより、各色１６ビットのディープカラーモードでの表示が可能となる。
【０１４８】
この際、上述の図１９のソース機器（送信機）１１０中のフレーム分割処理部１１５は色情報分割処理部となり、フレームバッファ１１６ａには、色情報のうち、上位８ビットが格納され、データ送信部１１２へ送られる。同様に、フレームバッファ１１６ｂには、色情報のうち、下位８ビットが格納され、データ送受信部１１３に送られる。また分周器１１７は使用されず、ピクセルクロックはそのままＴＭＤＳクロックとして伝送される。
【０１４９】
図１９中のシンク機器（受信機）１２０では、データ受信部１２２にて受信した色情報の上位８ビットは、フレームバッファ１２５ａに格納される。同様に、データ送受信部１２３にて受信した色情報の下位８ビットはフレームバッファ１２５ｂに格納される。フレーム配列処理部１２６は、この場合、色情報統合部となり、フレームバッファ１２５ａおよびフレームバッファ１２５ｂにて受信した色情報が統合されて１６ビットのデータとして成型される。この場合、逓倍器１２７は使用されず、受信したＴＭＤＳクロックがピクセルクロックとして後段に渡される。
【０１５０】
以上のようにして、伝送例２においては、従来ＨＤＭＩ伝送路と新ＨＤＭＩ伝送路を同期させて伝送することにより、高品位な色情報を持ったビデオデータの伝送が可能になる。
【０１５１】
「伝送例３：フルＨＤ、６０Ｈｚ、フレームパッキング方式３Ｄビデオデータ伝送」
この伝送例３では、従来ＨＤＭＩ伝送システム（データ送信部１１２、データ受信部１２２）と、新ＨＤＭＩ伝送システム（データ送受信部１１３、データ送受信部１２３）とが、上述の伝送例１と同様に、連携使用される。そして、この伝送例３では、１９２０×１０８０ピクセル、６０Ｈｚ、フレームパッキング方式の３Ｄビデオデータが伝送される。
【０１５２】
図２２は、伝送例３を示している。図中BiL[7:0]、GiL[7:0]、RiL[7:0]はそれぞれ左目用信号の青色、緑色、赤色の信号（データ）を、BiR[7:0]、GiR[7:0]、RiR[7:0]はそれぞれ右目用信号の青色、緑色、赤色の信号（データ）を示す。
【０１５３】
図に示すように、従来ＨＤＭＩ伝送路で左目用ビデオ信号（左目ビデオデータ）が伝送され、新ＨＤＭＩ伝送路で右目用ビデオ信号（右目ビデオデータ）が伝送される。従来ＨＤＭＩ伝送路と新ＨＤＭＮＩ伝送路の双方で同期して伝送されることにより、フレームパッキング方式の３Ｄビデオ信号の伝送が可能になる。
【０１５４】
この際、上述の図１９のソース機器（送信機）１１０中のフレーム分割処理部１１５は元々のビデオ信号が通常の２Ｄビデオ信号で、ソース機器（送信機）１１０内で３Ｄビデオ信号が生成される場合は、左目用・右目用ビデオフレーム生成部となる。元々のビデオ信号が既に３Ｄビデオ信号となっている場合、本ブロックは存在しなくてもよい。フレームバッファ１１６ａには左目用ビデオ信号が格納されて、データ送信部１１２へ送られる。同様に、フレームバッファ１１６ｂには右目用ビデオ信号が格納されて、データ送受信部１１３へ送られる。ピクセルクロックは、分周器１１７を経由せず、直接ＴＭＤＳクロックとして伝送される。
【０１５５】
図１９中のシンク機器（受信機）１２０では、データ受信部１２２で受信された信号はフレームバッファ１２５ａに左目ビデオデータとして格納され、データ送受信部１２３で受信された信号はフレームバッファ１２５ｂに右目ビデオデータとして格納される。それぞれ格納された３Ｄビデオ信号（左目ビデオデータ、右目ビデオデータ）はフレーム配列処理部１２６にてそれぞれ左目用ビデオフレーム、右目用ビデオフレームとして表示されるべく、後段へ送られる。また、受信されたＴＭＤＳクロックは、逓倍器１２７を経由せず、そのままピクセルクロックとして後段に送られる。
【０１５６】
以上のようにして、伝送例３においては、従来ＨＤＭＩ伝送路と新ＨＤＭＩ伝送路を同期させて伝送することにより、高度な３Ｄビデオデータの伝送が可能になる。
【０１５７】
「伝送例４：従来ＨＤＭＩ伝送システムと新ＨＤＭＩ伝送システムとで逆方向同時伝送」
この伝送例４では、従来ＨＤＭＩ伝送システム（データ送信部１１２、データ受信部１２２）によって、ソース機器１１０からシンク器１２０に、１０８０  ６０Ｈｚ、プログレッシブビデオデータが伝送される。また、この伝送例２では、新ＨＤＭＩ伝送システム（データ送受信部１１３、データ送受信部１２３）によって、シンク器１２０からソース機器１１０に、１０８０  ６０Ｈｚ、プログレッシブビデオデータが伝送される。
【０１５８】
図２３は、伝送例４を示している。図中、ＴＭＤＳチャネル＃０，＃１，＃２およびＴＭＤＳクロックチャネルは、従来ＨＤＭＩ伝送システム部分であり、従来ＨＤＭＩ規格に従って、１０８０  ６０Ｈｚ、プログレッシブビデオデータを、ソース機器１１０からシンク機器１２０に伝送する。この伝送は、ソース機器１１０のデータ送信部１１２およびシンク機器１２０のデータ受信部１２２により行われる。
【０１５９】
ここでは、１ピクセルクロック区間、つまり１ＴＭＤＳクロック（TMDS Clock）サイクル当たり、各チャネルにおいて、８ビットのビデオデータが１０ビットデータとして伝送される。各チャネルの伝送レートは、ピクセルクロックレート（１４８ＭＨｚ）の１０倍の１．４８Ｇｂｐｓとなる。この場合、１ＴＭＤＳクロックサイクル当たり、チャネル＃０では青色（Ｂ）の８ビットデータ、チャネル＃１では緑色（Ｇ）の８ビットデータ、チャネル＃２では赤色（Ｒ）の８ビットデータが伝送される。
【０１６０】
また、図中、新ＴＭＤＳチャネル＃０は、新ＨＤＭＩ伝送システム部分であり、１０８０  ６０Ｈｚ、プログレッシブビデオデータを、シンク機器１２０からソース機器１１０に伝送する。この伝送は、ソース機器１１０のデータ送受信部１１３およびシンク機器１２０のデータ送受信部１２３により行われる。
【０１６１】
ここでは、１ピクセルクロック区間、つまり１ＴＭＤＳクロック（TMDS Clock）サイクルの前半で１２ビットのデータが１５ビットデータとして伝送され、その後半で、１２ビットのデータが１５ビットデータとして伝送される。この新ＴＭＤＳチャネル＃０の伝送レートは、ピクセルクロックレート（１４８ＭＨｚ）の３０倍の４．４４Ｇｂｐｓとなる。
【０１６２】
つまり、新ＴＭＤＳチャネ＃０は、従来ＴＭＤＳチャネルの３倍の伝送能力を持つことになる。この場合、ＴＭＤＳクロックサイクルの前半、後半のそれぞれ、新ＴＭＤＳチャネル＃０において、青色（Ｂ）、緑色（Ｇ）、赤色（Ｒ）の各データが４ビットずつ伝送される。これにより、ＴＭＤＳクロックサイクル当たり、新ＴＭＤＳチャネル＃０で、各色の８ビットデータが伝送される。
【０１６３】
また、図中、新ＴＭＤＳチャネル＃１は、新ＨＤＭＩ伝送システム部分であり、スリープモード（ローパワーモード）に置かれる。なお、新ＴＭＤＳチャネル＃０と新ＴＭＤＳチャネル＃１が逆の状態であってもよい。つまり、新ＴＭＤＳチャネル＃１により、１０８０  ６０Ｈｚ、プログレッシブビデオデータを、シンク機器１２０からソース機器１１０に伝送するようにしてもよい。また、便宜上、図中では、従来ＨＤＭＩ伝送システムと新ＨＤＭＩ伝送システムを同期しているように示しているが、両者は完全に独立しており、必ずしも同期している必要はない。
【０１６４】
「伝送例５：新ＨＤＭＩ伝送システムのみによるビデオデータ伝送」
この伝送例５では、新ＨＤＭＩ伝送システム（データ送受信部１１３、データ送受信部１２３）によって、ソース機器１１０からシンク器１２０に、１０８０  ６０Ｈｚ、プログレッシブビデオデータが伝送される。
【０１６５】
図２４は、伝送例５を示している。図中、新ＴＭＤＳチャネル＃０は、新ＨＤＭＩ伝送システム部分であり、１０８０  ６０Ｈｚ、プログレッシブビデオデータを、ソース機器１１０からシンク機器１２０に伝送する。この伝送は、ソース機器１１０のデータ送受信部１１３およびシンク機器１２０のデータ送受信部１２３により行われる。この伝送レートは、図２３の伝送例４と同様である。
【０１６６】
また、図中、新ＴＭＤＳチャネル＃１は、新ＨＤＭＩ伝送システム部分であり、スリープモード（ローパワーモード）に置かれる。なお、新ＴＭＤＳチャネル＃０と新ＴＭＤＳチャネル＃１が逆の状態であってもよい。図中、ＴＭＤＳチャネル＃０，＃１，＃２およびＴＭＤＳクロックチャネルは、従来ＨＤＭＩ伝送システム部分であり、スリープモード（ローパワーモード）に置かれる。従来ＨＤＭＩチャンネルはＤＣ結合の差動チャンネルを４本動作させる必要があり、消費電力が大きい。新ＨＤＭＩチャンネルを用いることにより、１本のＡＣ結合の差動チャンネルのみで伝送することが可能になり、従来ＨＤＭＩの凡そ４分の１以下の消費電力での伝送が可能となる。
【０１６７】
「シンク機器の新ＨＤＭＩへの対応判断」
制御部１１４における、シンク機器１２０が新ＨＤＭＩ機器であるか否かの判断の方法について説明する。この判断方法としては、例えば、以下の第１の判断方法および第２の判断方法がある。
【０１６８】
「第１の判断方法」
制御部１１４は、シンク機器からケーブルのＤＤＣライン（ＳＤＡラインおよびＳＣＬライン）を用いて読み出したＥＤＩＤに基づいて、シンク機器が新ＨＤＭＩ機器であるか否かの判断を行う。ＥＤＩＤ自体は、フォーマット上で規定されたデータ構造になっている。このＥＤＩＤの所定の場所に、新たに、シンク機器が新ＨＤＭＩ（新しい伝送）に対応しているか否かを示すフラグ情報が新たに定義されるとする。
【０１６９】
図２５は、ＥＤＩＤ上に新たに定義されるフラグ情報の例を示している。本来、ＥＤＩＤは様々なシンク機器１２０の能力を示すデータ構造体である。図２５は、説明の簡単化のために、ＥＤＩＤの、この発明に関係するバイトのみを示し、最低限に簡素化している。第２ビットに、シンク機器が新ＨＤＭＩ機器であるか否かを示す１ビットのフラグ情報“New Rx Sink”が記載されている。また、第１ビットに、ケーブルが新ＨＤＭＩケーブルであるか否かを示す１ビットのフラグ情報“New Cable”が新たに定義される。
【０１７０】
制御部１１４は、シンク機器から読み出したＥＤＩＤに、上述の１ビットのフラグ情報“New Rx Sink”が存在するとき、シンク機器が新ＨＤＭＩ機器であると判断する。すなわち、シンク機器１２０が現行ＨＤＭＩ機器である場合、シンク機器１２０から読み出したＥＤＩＤに、上述の１ビットのフラグ情報“New Rx Sink”は存在しない。
【０１７１】
「第２の判断方法」
制御部１１４は、シンク機器との間で、ケーブルを通じて通信を行うことで、シンク機器が新ＨＤＭＩ機器であるか否かの判断を行う。例えば、制御部１１４は、ＣＥＣラインを用いて、コマンドベースで、シンク機器が新ＨＤＭＩ機器であるか否かを確認する。また、例えば、制御部１１４は、伝送が有効になるまでは未使用のライン、例えばリザーブラインなどを用いて、なんらかの信号のやり取りを行って、シンク機器が新ＨＤＭＩ機器であるか否かを確認する。
【０１７２】
「ケーブルの新ＨＤＭＩへの対応判断」
次に、制御部１１４における、ケーブルが新ＨＤＭＩケーブルであるか否かの判断の方法について説明する。この判断方法には、例えば、以下の第１〜第５の判断方法がある。第１〜第３の判断方法は、ケーブルが新ＨＤＭＩケーブルであるとき、このケーブルが持つ情報提供機能を用いて行う判断方法である。
【０１７３】
「第１の判断方法」
この第１の判断方法の場合、図２６に示すように、新ＨＤＭＩケーブルには、例えば、
プラグに、ＬＳＩ（Large Scale Integration）が内蔵されている。例えば、ソース機器１１０から＋５Ｖが供給されている状態で、シンク機器１２０は、ＨＰＤをＬに落としている間にＣＥＣプロトコルにより、このＬＳＩに、出力を要求する。ＬＳＩは、シンク機器１２０からの出力要求に応じて、このＬＳＩ内に実装されるレジスタ値（新ＨＤＭＩ対応である旨、および伝送可能なデータ帯域などのケーブル特性データ）を、シンク機器１２０に、ＣＥＣプロトコルで報告する。
【０１７４】
シンク機器１２０は、ＬＳＩから報告された情報を自身のＥＤＩＤに追記する。シンク機器１２０は、この追記の後に、ＨＰＤをＨにすることで、ソース機器１１０にＥＤＩＤの読み出しを指示する。制御部１１４は、シンク機器１２０から読み出したＥＤＩＤに基づいて、ケーブルが新ＨＤＭＩに対応しているか否かの判断を行う。すなわち、制御部１１４は、ケーブルが新ＨＤＭＩケーブルであるなどの情報が含まれているとき、ケーブルが新ＨＤＭＩケーブルであると判断する。
【０１７５】
なお、上述では、シンク機器１２０がＣＥＣプロトコルによりＬＳＩに出力を要求するように説明した。しかし、ソース機器１１０自体、ＣＥＣプロトコルによりＬＳＩに出力を要求し、ＬＳＩからレジスタ値（新ＨＤＭＩ機器である旨、および伝送可能なデータ帯域などのケーブル特性データ）の報告を直接受けるようにすることも考えられる。
【０１７６】
「第２の判断方法」
この第２の判断方法の場合にも、図２６に示すように、新ＨＤＭＩケーブルには、例えばプラグに、ＬＳＩが内蔵されている。ソース機器１１０は、例えばＨＰＤがＬからＨに変化するタイミングで、シンク機器１２０から、その能力を示すＥＤＩＤを読み出して取得する。この場合、ＥＤＩＤは、ＳＤＡ／ＳＣＬのラインを使い、シンク機器１２０のＥＥＰＲＯＭ内に書かれているデータをシリアル伝送することにより、ソース側に通知される。
【０１７７】
ＬＳＩは、ＥＤＩＤ伝送中に、ＥＤＩＤ情報が伝送されるライン、つまりＳＤＡ／ＳＣＬの信号を観察する。そして、ＬＳＩは、ケーブルが新ＨＤＭＩケーブルであるか否かを示すフラグ情報（図２５の所定バイトの第１ビット）が伝送される際に、そのビット値を、ケーブル２００が新ＨＤＭＩに対応している状態、つまりフラグが立っている状態に変更する。つまり、シンク機器１２０のＥＤＩＤＲＯＭ（ＥＥＰＲＯＭ）上のデータは“０００００１００”であるが、伝送中にケーブル内のＬＳＩがデータを書換え、ソース機器１１０が受信する際には“０００００１１０”となる。
【０１７８】
制御部１１４は、シンク機器１２０から読み出したＥＤＩＤに基づいて、ケーブルが新ＨＤＭＩ機器であるか否かの判断を行う。すなわち、制御部１１４は、ケーブルが新ＨＤＭＩに対応しているか否かを示すフラグ情報（図２５の所定バイトの第１ビット）が、新ＨＤＭＩ機器を示す状態になっているとき、ケーブルが新ＨＤＭＩケーブルであると判断する。
【０１７９】
図２７は、ケーブル内ＬＳＩのＥＤＩＤデータ書換え回路の一例を示している。このＬＳＩは、ＳＣＬライン上のクロックをカウントするカウンタと、このカウンタのカウント値に基づいて、ＳＤＡライン上のデータを書き換えるドライバを有している。
【０１８０】
「第３の判断方法」
この第３の判断方法の場合、図２８に示すように、新ＨＤＭＩケーブルには、例えばプラグに、新ＨＤＭＩ対応である旨、および伝送可能なデータ帯域などの情報を記憶したＲＦタグチップ（ＬＳＩ）が内蔵されている。また、ソース機器１１０のレセプタクル１１１に、ＲＦタグ読出しチップ（ＬＳＩ）が内蔵される。この場合、セプタクル１１１のＲＦタグ読出しチップとプラグのＲＦタグチップとの間で近距離無線通信が行われ、ＲＦタグチップに記憶されている情報が、ＲＦタグ読出しチップにより読み出される。
【０１８１】
制御部１１４は、ＲＦタグ読出しチップにより読み出される情報に基づいて、ケーブルが新ＨＤＭＩ機器であるか否かの判断を行う。すなわち、制御部１１４は、ＲＦタグ読出しチップによりケーブルが新ＨＤＭＩケーブルであるなどの情報が読み出されるとき、ケーブルが新ＨＤＭＩに対応していると判断する。
【０１８２】
なお、上述では、ソース機器１１０のレセプタクル１１１のＲＦタグ読出しチップとプラグのＲＦタグチップとの間で近距離無線通信が行われ、ＲＦタグチップに記憶されている情報がソース機器１１０側で読み出されるように説明した。しかし、例えば、シンク機器１２０のレセプタクル１２１のＲＦタグ読出しチップとプラグのＲＦタグチップとの間で近距離無線通信が行われ、ＲＦタグチップに記憶されている情報がシンク機器１２０側で読み出され、その情報がその後に、ソース機器１１０側に提供される構成とすることも考えられる。
【０１８３】
「第４の判断方法」
この第４の判断方法の場合、制御部１１４は、ケーブルの電気的特性の測定を行うことで、ケーブルが新ＨＤＭＩケーブルであるか否かを判断する。図２９に示すように、ソース機器１１０の制御部１１４は、ピン２とピン５に対して測定・検出用のテスト信号（デジタル信号）を発信し、シンク機器１２０の制御部１２４がその信号を受信する。なお、従来ＨＤＭＩケーブルではピン２とピン５に接続される一対の信号線は差動信号の送信路を構成していないが、新ＨＤＭＩケーブルではピン２とピン５に接続される一対の信号線は差動信号の送信路を構成している（図１０（ａ），（ｂ）参照）。
【０１８４】
シンク機器１２０の制御部１２４は、受信したデジタル信号を、他の経路（例えば、ＳＣＬ／ＳＤＡで示されるＨＤＭＩのＤＤＣライン、あるいはＣＥＣラインやリザーブラインなど）を通じて、ソース機器１１０側に通知する。ソース機器１１０の制御部１１４は、シンク機器１２０から通知されたデジタル信号が、自身が送信したデジタル信号との一致を確認することで、ケーブルが新ＨＤＭＩケーブルであるか否かを判断する。すなわち、制御部１１４は、受信デジタル信号が送信デジタル信号と一致するとき、ケーブルは新ＨＤＭＩケーブルであると判断する。
【０１８５】
図３０（ａ）に示すように、ケーブルが従来（現行）ＨＤＭＩケーブルである場合、ピン２とピン５に接続される一対の信号線は、シールドツイストペア線となっていない。そのため、ケーブル２００が従来ＨＤＭＩに対応しているとの判断には、“高速のテスト信号は伝達することができない”ということが利用される。この際、ピン２と関連するピン１またはピン３に、ピン２とは関係ない信号を印加することにより、その干渉を利用することも可能である。この干渉により、高速のテスト信号はより伝達しがたくなる。
【０１８６】
一方、図３０（ｂ）に示すように、ケーブルが新ＨＤＭＩケーブルである場合、ピン２とピン５に接続される一対の信号線は、シールドツイストペア線となる。そのため、ケーブルが新ＨＤＭＩケーブルに対応しているとの判断には、“高速のテスト信号は伝達することができる”ということが利用される。この際、ピン１またはピン３に、ピン２とは関係ない信号が印加されていたとしても、それらは独立してシールド処理が施されており、印加された信号とピン２が干渉することはなく、テスト信号の伝達に影響することはない。
【０１８７】
ここで、テスト信号は、例えば、ソース機器１１０が出力可能な最速のデータ、かつビットエラーレートとしてＨＤＭＩが保障する１０−９を評価できるだけの十分長いランダムなデータとされる。なお、シンク機器１２０には通常ビデオ再生のためのフレームバッファメモリが内蔵されているので、この伝送テスト専用のメモリは必要ではないかもしれない。
【０１８８】
なお、上述の説明では、制御部１１４は、受信デジタル信号が送信デジタル信号と一致するときだけケーブルが新ＨＤＭＩに対応していると判断するとした。制御部１１４は、データの転送速度を遅くして同様のテストを行い、一致するまで上述の判断プロセスを繰り返すことにより、ケーブルの性能を確定し、新ＨＤＭＩケーブルであると判断するが、その伝送スピード内で実行可能なだけの伝送を行うようにしてもよい。この場合には、従来ＨＤＭＩケーブルも、新ＨＤＭＩケーブルであると判断される可能性がある。
【０１８９】
また、上述の説明では、ピン２とピン５を用いている。しかし、これらのピンの代わりに、従来ＨＤＭＩケーブルと新ＨＤＭＩケーブルと間でこれらのピンと同様の関係にあるピン８とピン１１を用いてもよい。すなわち、現行ＨＤＭＩケーブルではピン８とピン１１に接続される一対の信号線は差動信号の送信路を構成していないが、新ＨＤＭＩケーブルではピン８とピン１１に接続される一対の信号線は差動信号の送信路を構成している（図１０（ａ），（ｂ）参照）。
【０１９０】
また、上述の説明では、ソース機器１１０がシンク機器に送ったデジタル信号（テスト信号）を、それを受信したシンク機器１２０がソース機器１１０に通知し、その正否をソース機器１１０側で判断するものを示した。しかし、デジタル信号（テスト信号）として予め決まったパターンを伝送することにより、シンク機器１２０が、受信デジタル信号の正否の判定を行って、その結果のみＣＥＣなどのラインを通じてソース機器１１０に通知してもよいし、自身のＥ−ＥＤＩＤにその情報を追記してもよい。
【０１９１】
「第５の判断方法」
この第５の判断方法の場合、制御部１１４は、ケーブルが、従来ＨＤＭＩケーブル（以下、適宜、「カテゴリＡのケーブル」という）であるか、新ＨＤＭＩケーブル（以下、適宜、「カテゴリＢのケーブル」という）であるかを、プラグ構造の違いから判断する。
【０１９２】
カテゴリＡ，Ｂのケーブルのプラグ構造について説明する。図３１は、カテゴリＢのケーブルのプラグ２１２Ｂの構造を概略的に示している。このプラグ２１２Ｂにおいては、金属製のシェル（シールドシェル）２２１の内側に絶縁体２２２を介して複数のピン２２３が配置されている。なお、各部の配設状態はモールド部２２４により固定保持されている。
【０１９３】
プラグ２１２Ｂがレセプタクル１１１，１２１に接続されるとき、この複数のピン２２３は、それぞれ、このレセプタクル１１１，１２１の対応するピンに接続される。このプラグ２１２Ｂにおいては、カテゴリ判別のために、複数のピン２２３のうち、所定のピン２２３Ｓと金属製のシェル２２１との間に、抵抗２２５が接続されている。この所定のピン２２３Ｓは、例えば、レセプタクル１１１の所定のピン１１１Ｓ、つまり、ＤＤＣ／ＣＥＣ Groundに割り当てられているピン番号が１７であるピン（図１０参照）に対応したピンとされる。
【０１９４】
図３２は、カテゴリＡのケーブルのプラグ２１２Ａの構造を概略的に示している。この図３２において、図３１と対応する部分には同一符号を付し、適宜その詳細説明を省略する。このプラグ２１２Ａにおいても、上述のプラグ２１２Ｂと同様に、金属製のシェル（シールドシェル）２２１の内側に絶縁体２２２を介して複数のピン２２３が配置されている。なお、各部の配設状態はモールド部２２４により固定保持されている。このプラグ２１２Ａにおいては、上述のプラグ２１２Ｂとは異なり、所定のピン２２３Ｓと金属製のシェル２２１との間に抵抗２２５は接続されていない。
【０１９５】
制御部１１４は、レセプタクル１１１の対象ピン（所定のピン１１１Ｓ）に所定の電圧、例えば電源電圧を印加して、ケーブルが、カテゴリＡのケーブル（従来ＨＤＭＩケーブル）であるか、カテゴリＢのケーブル（新ＨＤＭＩケーブル）であるかを判断する。この場合、制御部１１４は、対象ピンを通じて流れる電流の値に基づいて、ケーブルのカテゴリを判別する。
【０１９６】
図３３は、ケーブル２００がカテゴリＢのケーブル（新ＨＤＭＩケーブル）である場合における判別時の状態を示している。ケーブルが新ＨＤＭＩケーブルである場合、上述したように対象ピン（所定のピン２２３Ｓ）とシールドシェル２２１との間に抵抗２２５が接続されている。そのため、スイッチＳＷが閉じられてレセプタクル１１１の対象ピン（所定のピン１１１Ｓ）に電源電圧、例えば＋５Ｖが印加されと、破線矢印で示すように、対象ピンを通じて電流が流れる。制御部１１４のケーブル判別部１１４ａは、このときの電流値の測定結果から抵抗２２５により導通していると判断し、ケーブルはカテゴリＢのケーブルであるとの判別結果を得る。
【０１９７】
図３４は、ケーブルがカテゴリＡのケーブル（現行ＨＤＭＩケーブル）である場合における判別時の状態を示している。ケーブル２００が現行ＨＤＭＩケーブルである場合、上述したように対象ピン（所定のピン２２３Ｓ）とシールドシェル２２１との間に抵抗２２５が接続されていない。そのため、スイッチＳＷが閉じられてレセプタクル１１１の対象ピン（所定のピン１１１Ｓ）に電源電圧、例えば＋５Ｖが印加されても、対象ピンを通じて電流が流れることはない。制御部１１４のケーブル判別部１１４ａは、このときの電流値の測定結果から導通していないと判断し、ケーブル２００はカテゴリＡのケーブルであるとの判別結果を得る。
【０１９８】
図３５のフローチャートは、制御部１１４におけるケーブルのカテゴリ判別の処理手順の一例を示している。制御部１１４は、ステップＳＴ１１において、処理を開始し、その後にステップＳＴ１２の処理に移る。このステップＳＴ１２において、制御部１１４は、スイッチＳＷを閉じて、レセプタクル１１１の対象ピン（所定のピン１１１Ｓ）に電圧を印加し、この対象ピンを通じて流れる電流値を測定する。
【０１９９】
なお、この電流値の測定は、例えば、図３３、図３４においては、流れる電流の値を直接測定するように示されている。しかし、電流経路に抵抗を配置し、その抵抗による電圧降下を測定することで、間接的に電流値の測定を行うことも可能である。また、この場合における電流値の測定は、大まかな測定でかまわない。ここでは、電流値が０であるか否か程度の測定で充分である。
【０２００】
次に、制御部１１４は、ステップＳＴ１３において、導通しているか否かを判断する。制御部１１４は、電流値が０でないときは、導通していると判断する。導通しているとき、制御部１１４は、ステップＳＴ１４において、カテゴリＢのケーブル（新ＨＤＭＩケーブル）であると判別し、その後、ステップＳＴ１５において、処理を終了する。一方、導通していないと判断するとき、制御部１１４は、ステップＳＴ１６において、カテゴリＡのケーブル（現行ＨＤＭＩケーブル）であると判別し、その後、ステップＳＴ１５において、処理を終了する。
【０２０１】
なお、図３６は、ソース機器およびシンク機器が従来ＨＤＭＩ機器である場合に、これらの機器がカテゴリＢのケーブル（新ＨＤＭＩケーブル）で接続された場合を示している。抵抗２２５が接続されているピン２２３Ｓは本来接地ピンとなっているので、このピン２２３Ｓはソースおよびシンクの機器内で接地レベルに接続される。また、金属製のシェル（シールドシェル）２２１もソースおよびシンクの機器内で接地レベルに接続される。そのため、ピン２２３Ｓと金属製のシェル（シールドシェル）２２１との間に抵抗２２５が接続されていても、ソース機器からシンク機器への伝送ケーブルを通してのデータ伝送に何らかの影響を及ぼすことはなく、従来通りの動作を期待できる。
【０２０２】
上述したように、図１に示すＡＶシステム１０においては、従来ＨＤＭＩ伝送ステム（データ送信部１１２、データ受信部１２２）の他に、新ＨＤＭＩ伝送システム（データ送受信部１１３、データ送受信部１２３）が備えられる。そして、この新ＨＤＭＩ伝送システムでは、ケーブル２００のＡＣ結合された一対のライン（データラインペア）を介して、ＤＣフリーかつクロック再生可能に符号化された符号化ビデオデータが伝送される。そのため、信号品質の改善と消費電力の低減を図りながら、ビデオデータの伝送帯域の増大を図ることができる。
【０２０３】
また、図１に示すＡＶ伝送システム１０において、新ＨＤＭＩ伝送システムでは、ソース機器１１０からシンク機器１２０へのデータ伝送の他、シンク機器１２０からソース機器１１０へのデータ伝送も可能である。そのため、部屋間伝送などの新たなアプリケーションに対処可能となる。
【０２０４】
図３７は、アプリケーションの例を示している。部屋１と部屋２にはそれぞれテレビ受信機とＨＤＭＩ接続されたＤＶＤプレーヤが存在する。部屋１と部屋２の間は新ＨＤＭＩケーブルにより接続され、部屋１のテレビ受信機がソース機器、部屋２のテレビ受信機がシンク機器とする。各部屋内のＨＤＭＩ接続は従来ＨＤＭＩでも新ＨＤＭＩでも構わないが、従来ＨＤＭＩの伝送能力を超える出力を持つソース機器であれば、新ＨＤＭＩ接続を用いることにより、部屋内でそのソース出力を視聴することが可能になる。
【０２０５】
ここで、部屋２のテレビ受信機を視聴している人が部屋１に存在するＤＶＤプレーヤにあるビデオコンテンツを視ようとする際は、部屋１のテレビ受信機が部屋１のＤＶＤプレーヤの出力を新ＨＤＭＩ接続へリピートする。部屋間の新ＨＤＭＩ接続中の従来ＨＤＭＩ部分で本コンテンツに対応するビデオデータが部屋１のテレビ受信機から部屋２のテレビ受信機へ伝送される。このようにして、部屋２のテレビで部屋１に存在するＤＶＤプレーヤのビデオコンテンツを視聴することが可能になる。
【０２０６】
同様に、部屋１のテレビを視聴している人が部屋２に存在するＤＶＤプレーヤにあるビデオコンテンツを視ようとする際は、新ＨＤＭＩ接続中の新ＨＤＭＩデータラインで部屋２のＤＶＤプレーヤからの本コンテンツに対応するビデオデータが部屋２のテレビ受信機からリピートされ、伝送される。このようにして、これまでは不可能であった部屋間を跨いだ非圧縮ビデオデータの双方向伝送が実現される。
【０２０７】
＜２．変形例＞
なお、上述実施の形態においては、新ＨＤＭＩケーブルのプラグの形状が、従来ＨＤＭＩケーブル（現行ＨＤＭＩケーブル）のプラグの形状と同じであるものを示した。しかし、新ＨＤＭＩケーブルのプラグの形状を、現行ＨＤＭＩケーブルのプラグの形状を異ならせ、ソース機器およびシンク機器の一方が新ＨＤＭＩ機器でないとき、これらが新ＨＤＭＩケーブルで接続されないようにすることもできる。
【０２０８】
図３８（ａ）は従来ＨＤＭＩケーブルのプラグの形状を示し、図３８（ｂ）は現行ＨＤＭＩのみに対応したソース機器やシンク機器のレセプタクルの形状を示している。これに対して、図３８（ｃ）は新ＨＤＭＩケーブルのプラグの形状を示し、図３８（ｄ）は新ＨＤＭＩ機器であるソース機器やシンク機器のレセプタクルの形状の一例を示している。なお、図３９（ａ）は現行ＨＤＭＩケーブルのプラグの斜視図であり、図３９（ｂ）は新ＨＤＭＩケーブルのプラグの斜視図を示している。
【０２０９】
新ＨＤＭＩケーブルのプラグには凸部（矢印Ｐで指し示している）が設けられている。そして、新ＨＤＭＩ機器であるソース機器やシンク機器のレセプタクルには、プラグの凸部に対応した凹部（矢印Ｑで指し示している）が設けられている。この場合、新ＨＤＭＩ機器であるソース機器やシンク機器のレセプタクルの形状は、新ＨＤＭＩケーブルのプラグの形状に合致し、現行ＨＤＭＩケーブルのプラグの形状を包含するようにされている。
【０２１０】
新ＨＤＭＩケーブルのプラグの形状および新ＨＤＭＩ機器であるソース機器やシンク機器のレセプタクルの形状を上述のように設定することで、新ＨＤＭＩケーブルは、新ＨＤＭＩに対応したソース機器やシンク機器のレセプタクルに接続できる。しかし、新ＨＤＭＩケーブルは、現行ＨＤＭＩ機器であるソース機器やシンク機器のレセプタクルには接続できなくなる。これにより、ソース機器およびシンク機器の一方が新ＨＤＭＩ機器でないとき、これらが新ＨＤＭＩケーブルで接続されるということはなくなる。つまり、ソース機器およびシンク機器の双方が新ＨＤＭＩ機器であるときのみ、新ＨＤＭＩケーブルにより、これらの接続が可能となる。
【０２１１】
上述したように、新ＨＤＭＩ機器であるソース機器やシンク機器のレセプタクルの形状は、新ＨＤＭＩケーブルのプラグの形状に合致し、現行ＨＤＭＩケーブルのプラグの形状を包含するようにされている。そのため、現行ＨＤＭＩケーブルは、従来ＨＤＭＩ機器であるソース機器やシンク機器のレセプタクルだけでなく、新ＨＤＭＩ機器であるソース機器やシンク機器のレセプタクルにも接続できる。
【０２１２】
また、上述実施の形態においては、ビデオデータが赤色データ、緑色データおよび青色データで構成される例を示した。しかし、ビデオデータが、輝度データ、赤色差データ、青色差データで構成されることもある。この場合においても、本技術を同様に適用できることは勿論である。
【０２１３】
また、上述実施の形態において、本技術をソース機器およびシンク機器がＨＤＭＩ規格のデジタルインタフェースで接続されるＡＶシステムに適用したものである。本技術は、その他の同様のデジタルインタフェースで接続されるＡＶシステムにも同様に適用できる。
【０２１４】
また、本技術は、以下のような構成を取ることもできる。
（１）送信データをＤＣフリーかつクロック再生可能に符号化して符号化データを得るエンコード部と、
上記エンコード部で得られた符号化データを、伝送路のＡＣ結合された一対のラインを介して、外部機器に、差動信号により送信するデータ送信部とを備える
送信装置。
（２）上記一対のラインを介して、上記外部機器との間で、同相のコマンド信号を通信するコマンド信号通信部をさらに備える
前記（１）に記載の送信装置。
（３）上記符号化データの送信を開始する前に、伝送要求を、上記一対のラインを介して、上記外部機器に差動信号により送信する伝送要求送信部をさらに備える
前記（１）または（２）に記載の送信装置。
（４）上記伝送要求には、少なくともクロック周波数の情報が含まれる
前記（３）に記載の送信装置。
（５）上記データ送信部は、上記符号化データの送信を開始する前に、上記一対のラインを介して上記外部機器にランダムデータを送信し、上記コマンド信号通信部が上記外部機器からクロック情報の抽出が可能となったことを示すコマンド信号を受信した後に、上記符号化データを上記一対のラインを介して、差動信号により上記外部機器に送信する
前記（２）から（４）のいずれかに記載の送信装置。
（６）上記送信データはビデオデータであり、
上記エンコード部は、上記送信データを構成する色データ、あるいは輝度データおよび色差データのそれぞれ４ビットデータをＤＣフリーかつクロック再生可能な５ビットデータに符号化し、
上記データ送信部は、上記エンコード部で符号化された上記ＤＣフリーかつクロック再生可能な５ビットデータからなる１５ビットデータ単位で送信する
前記（１）から（５）のいずれかに記載の送信装置。
（７）上記外部機器から、ＤＣフリーかつクロック再生可能に符号化された符号化データを、上記伝送路のＡＣ結合された一対のラインを介して、差動信号により受信するデータ受信部と、
上記データ受信部で受信された符号化データを復号化して受信データを得るデコード部とをさらに備える
前記（１）から（６）のいずれかに記載の送信装置。
（８）送信データをＤＣフリーかつクロック再生可能に符号化して符号化データを得るステップと、
上記符号化データを、伝送路のＡＣ結合された一対のラインを介して、外部機器に、差動信号により送信するステップとを備える
送信方法。
（９）外部機器から、ＤＣフリーかつクロック再生可能に符号化された符号化データを、伝送路のＡＣ結合された一対のラインを介して、差動信号により受信するデータ受信部と、
上記データ受信部で受信された符号化データを復号化して受信データを得るデコード部とを備える
受信装置。
（１０）第１のデータを、伝送路を構成するＤＣ結合された差動信号ラインを介して、外部機器に送信する第１のデータ送信部と、
上記第１のデータに関連した、あるいは上記第１のデータとは独立した第２のデータを、上記伝送路を構成するＡＣ結合された差動信号ラインを介して、上記外部機器に送信する第２のデータ送信部と、
上記第１のデータ送信部および上記第２のデータ送信部の動作を制御する制御部とを備える
送信装置。
（１１）上記制御部は、上記第２のデータ送信部が使用状態にないとき、上記ＡＣ結合された差動信号ラインを接地する
前記（１０）に記載の送信装置。
（１２）上記制御部は、上記外部機器が上記第２のデータ送信部に対応しているか否か、および上記伝送路が上記第２のデータ送信部に対応しているか否かに基づいて、上記第２のデータ送信部の動作を制御する
前記（１０）または（１１）に記載の送信装置。
（１３）上記制御部は、上記外部機器が上記第２のデータ送信部に対応しているか否かを、上記外部機器から上記伝送路を介して読み出した該外部機器の能力情報に基づいて判断する
前記（１２）に記載の送信装置。
（１４）上記制御部は、上記伝送路が上記第２のデータ送信部に対応しているか否かを、上記伝送路が持つ情報提供機能を用いて判断する
前記（１２）または（１３）に記載の送信装置。
（１５）上記伝送路はケーブルであり、
上記制御部は、上記ケーブルのプラグを接続するためのレセプタクルの所定のピンに所定の電圧を印加して、上記伝送路が上記第２のデータ送信部に対応しているか否かを判断する
前記（１４）に記載の送信装置。
（１６）上記データはビデオデータであり、
送信ビデオデータをフレーム分割して得られた複数の分割ビデオデータを得るフレーム分割処理部をさらに備え、
上記第１のデータ送信部は、上記複数の分割ビデオデータのうち一部の分割ビデオデータを上記外部機器に送信し、上記第２のデータ送信部は、上記複数の分割ビデオデータのうち残りの一部の分割ビデオデータを上記外部機器に送信する
前記（１０）から（１５）のいずれかに記載の送信装置。
（１７）上記第１のデータ送信部および上記第２のデータ送信部は、上記分割ビデオデータを、フレーム毎に、連結すべき他の分割ビデオデータの存在を示す第１の情報および該連結すべき他の分割ビデオデータとの同期をとるための第２の情報を付加して送信する
前記（１６）に記載の送信装置。
（１８）上記第２の情報は、タイムコード情報と、該タイムコード情報が示すタイムコードを持つ複数フレームにおける配列順を示す配列情報とからなる
前記（１７）に記載の送信装置。
（１９）上記データはビデオデータであり、
送信ビデオデータの各画素データを上位ビット側と下位ビット側に２分する画素データ分割処理部をさらに備え、
上記第１のデータ送信部は、上記各画素データの上記上位ビット側のデータを上記外部機器に送信し、上記第２のデータ送信部は、上記各画素データの上記下位ビット側のデータを上記外部機器に送信する
前記（１０）に記載の送信装置。
（２０）上記データはビデオデータであり、
上記第１のデータ送信部は、左目ビデオデータおよび右眼ビデオデータの一方を上記外部機器に送信し、上記第２のデータ送信部は、上記左目ビデオデータおよび右眼ビデオデータの他方を上記外部機器に送信する
前記（１０）に記載の送信装置。
（２１）上記外部機器から、データを、上記ＡＣ結合された差動信号ラインを介して、受信するデータ受信部をさらに備え、
上記制御部は、上記第１のデータ送信部および上記第２のデータ送信部の動作の他に、上記データ受信部の動作を制御する
前記（１０）から（２０）のいずれかに記載の送信装置。
（２２）外部機器から、伝送路を構成するＤＣ結合された差動信号ラインを介して、第１のデータを受信する第１のデータ受信部と、
上記外部機器から、上記伝送路を構成するＡＣ結合された差動信号ラインを介して、上記第１のデータに関連した、あるいは上記第１のデータとは独立した第２のデータを受信する第２のデータ受信部と、
上記第１のデータ受信部および上記第２のデータ受信部の動作を制御する制御部とを備える
受信装置。
【符号の説明】
【０２１５】
１０・・・ＡＶシステム
８１・・・ＨＤＭＩトランスミッタ
８２・・・ＨＤＭＩレシーバ
８３，８４・・・ＨＤＭＩ送信／受信部
１１０・・・ソース機器
１１１・・・レセプタクル
１１２・・・データ送信部
１１３・・・データ送受信部
１１４・・・制御部
１２０・・・シンク機器
１２１・・・レセプタクル
１２２・・・データ受信部
１２３・・・データ送受信部
１２４・・・制御部
２００・・・ケーブル
２０１，２０２・・・プラグ
【図１】
0006031745.tif 000002
【図２】
0006031745.tif 000003
【図３】
0006031745.tif 000004
【図４】
0006031745.tif 000005
【図５】
0006031745.tif 000006
【図６】
0006031745.tif 000007
【図７】
0006031745.tif 000008
【図８】
0006031745.tif 000009
【図９】
0006031745.tif 000010
【図１０】
0006031745.tif 000011
【図１１】
0006031745.tif 000012
【図１２】
0006031745.tif 000013
【図１３】
0006031745.tif 000014
【図１４】
0006031745.tif 000015
【図１５】
0006031745.tif 000016
【図１６】
0006031745.tif 000017
【図１７】
0006031745.tif 000018
【図１８】
0006031745.tif 000019
【図１９】
0006031745.tif 000020
【図２０】
0006031745.tif 000021
【図２１】
0006031745.tif 000022
【図２２】
0006031745.tif 000023
【図２３】
0006031745.tif 000024
【図２４】
0006031745.tif 000025
【図２５】
0006031745.tif 000026
【図２６】
0006031745.tif 000027
【図２７】
0006031745.tif 000028
【図２８】
0006031745.tif 000029
【図２９】
0006031745.tif 000030
【図３０】
0006031745.tif 000031
【図３１】
0006031745.tif 000032
【図３２】
0006031745.tif 000033
【図３３】
0006031745.tif 000034
【図３４】
0006031745.tif 000035
【図３５】
0006031745.tif 000036
【図３６】
0006031745.tif 000037
【図３７】
0006031745.tif 000038
【図３８】
0006031745.tif 000039
【図３９】
0006031745.tif 000040